(57)【特許請求の範囲】
【請求項１】
養液用容器、
該容器に収容した養液、および
下面が該養液の表面に接するように該養液の上に設置されている無孔性親水性フィルムであって、その上で植物を栽培するための無孔性親水性フィルム
を包含することを特徴とする、植物栽培用システム。
【請求項２】
該無孔性親水性フィルムが、該フィルムを介して水と０．５％塩水とを対向して４日間（９６時間）接触させた際に、水と塩水の電気伝導度（ＥＣ）の差が４．５ｄＳ／ｍ以下となるフィルムであることを特徴とする、請求項１に記載の植物栽培用システム。
【請求項３】
該無孔性親水性フィルムが、該フィルムを介して水と５％グルコース水溶液とを対向して３日間（７２時間）接触させた際に、水とグルコース水溶液の濃度（Ｂｒｉｘ％）の差が４以下となるフィルムであることを特徴とする、請求項１または２に記載の植物栽培用システム。
【請求項４】
該無孔性親水性フィルムが、該植物栽培用システムの無孔性親水性フィルムの上で植物を３５日間栽培した際に、該無孔性親水性フィルムを栽培した植物の根から剥離するための剥離強度が１０ｇ以上となるフィルムであることを特徴とする、請求項１〜３のいずれかに記載の植物栽培用システム。
【請求項５】
該無孔性親水性フィルムの水不透性が、ＪＩＳ  Ｌ１０９２（Ｂ法）に準じた試験により測定した耐水圧として１０ｃｍ以上であることを特徴とする、請求項１〜４のいずれかに記載の植物栽培用システム。
【請求項６】
（１）養液用容器、
該容器に収容した養液、および
下面が該養液の表面に接するように該養液の上に設置されている無孔性親水性フィルムであって、その上で植物を栽培するための無孔性親水性フィルム、
を包含することを特徴とする、植物栽培用システムを提供し、
（２）該システム内の無孔性親水性フィルムの上に植物を配置し、そして
（３）該養液を、該無孔性親水性フィルムを介して該植物に接触させ、該植物の根を該フィルム上で成長させて該フィルムと一体化させることによって、該無孔性親水性フィルムの上で植物を栽培する
ことを包含する植物栽培方法。
【請求項７】
該植物栽培用システムが、該無孔性親水性フィルムの上に配置した植物保持用支持体を更に包含することを特徴とする、請求項６に記載の植物栽培方法。
【発明の詳細な説明】
【技術分野】  本発明は植物栽培用器具、植物−フィルム複合体、および植物栽培方法に関する。より詳しくは、本発明は、植物の根と実質的に一体化できるフィルムを有する植物栽培用器具；植物体と、該植物体の根と実質的に一体化したフィルムとを有する植物−フィルム複合体；および該植物栽培用器具を用いた植物栽培方法に関する。
本発明によれば植物体に対する酸素供給と、水および肥料成分の供給とを好適に機能分離することが可能となるため、例えば、養液栽培の基本となる植物の根と養液が直接接することにより生ずる多くの問題、すなわち根に対する酸素の供給、養液の精密な管理、根からの養液の汚染あるいは養液から植物への病原菌汚染等、多くの問題を解消することができる。更に、本発明の植物栽培用器具を用いることにより、栽培すべき植物を水分抑制状態として、該植物を高品質化することが容易になる。更に、本発明の植物栽培用器具を用いることにより、培養液からの植物への病原菌汚染が防止できるために、有糖培養、すなわち、クローン苗の組織培養を行うことが可能になる。
【背景技術】  従来より、伝統的に種々の植物が露地（ろじ）栽培により、すなわち、太陽や土などの自然の恵みを利用して、屋外で栽培されて来た。これに対して、近年、施設栽培、すなわち、ガラスやビニールフィルム等で覆われた温室あるいはハウスの中で植物を栽培する方法も盛んに行われるようになって来た。このような施設栽培においては、露地栽培よりも自然条件に左右されにくいため、種々の植物（例えば蔬菜類）を安定して作ることが可能となるという利点がある。
１９９９年の統計によれば、蔬菜類の施設栽培の総面積は１１万２８２２ｈａに増加しており、蔬菜の端境期をなくし、種々の蔬菜を年間通じて供給可能とした点で、露地栽培によるものに比べて、栄養的に劣るという批判もあるものの施設栽培の功績は大きい。
植物の施設栽培において、露地栽培における連作障害の回避や栽培不適地での栽培が可能であること、露地栽培に比べると労働時間の短縮につながることや、単位面積当たりの収量増加、工業的生産の可能性等の観点から、温室中の設備を用いて、土を使わずに植物を保持し、且つ養分や水を与えて植物を栽培する、いわゆる養液栽培（一般には「水耕栽培」と称される場合が多い）が導入され始めた。この養液栽培においては、土を使った栽培に比べて、連作障害がなく（特に、燻蒸に使用する臭化メチルの全面使用禁止を控えて、この利点は大きい）、一般的に成長が早く収量が多い、栽培環境の調節が比較的容易である等の利点がある。
しかしながら、１９９９年における養液栽培の面積は１０５６ｈａであって、蔬菜施設栽培総面積の約１％にすぎない。このように養液栽培が盛んとはならない大きな理由としては、初期資本投資が大きく、生産コストが上昇しリスクが大きいことや、管理に相当な技術を要する、栽培に一度失敗すると（病原菌の侵入や養液の調整等）壊滅的被害が出ること等が障害になることが挙げられる。
養液栽培の種類は、噴霧耕、水耕（たん液式、ＮＦＴ）、固形培地（砂耕、れき耕、ロックウール耕）の３種類あり、それぞれの方式には利点、欠点を有する（これらの各方式の詳細、利害得失、等に関しては、例えば文献「養液栽培の新マニュアル」編者：（社）日本施設園芸協会、発行所：（株）誠文堂新光社、発行：２００２年７月を参照することができる）。
上記した各方式の養液栽培システムに共通する最も重要なポイントないし弱点は、初期導入コスト、ランニングコスト、および酸素の供給である。更には、養液栽培では根と養液が直接接触することから、養液の調整がデリケートであり、その管理範囲が非常に狭いことが問題となる。特に、養液の組成、濃度、ｐＨの変化には細心の注意が必要とされている。中でも、養液栽培で最も問題となる点の１つは、養液のｐＨが容易に変化することである。
また、植物に対する酸素の供給も、最も重要な条件である。特に、高温時には根の呼吸が高まって酸素要求量が増すが、一方で溶存酸素濃度は低くなるので、酸素欠乏の問題がある。酸素不足が発生すると「根づまり」と称される現象が生じ、その結果、根が腐敗し、アンモニアが発生し、養液のｐＨが上昇し始める。根への酸素の供給は養液栽培では液中の溶存酸素によるか、直接空気中の酸素に接することによって補うことができるが、一般的に養液栽培においては、そのシステム構成上、養液中の溶存酸素を使用せざるを得ない場合が多い。しかしながら、その性質上、溶存酸素の濃度自体を上昇させることは不可能であるため、実際には、養液栽培においては、植物への酸素の供給が不充分となることが極めて多い。
加えて、従来の養液栽培においては、病原菌の感染防止が極めて重大な問題である場合が極めて多い。これを防止するための種々の工夫が試みられている。農薬の投与が考えられるが、農薬登録上、培養液中に農薬を添加することが出来ないので、農薬によらない殺菌方法が、種々考えられている。例えば、紫外線、オゾンや熱による殺菌、ろ過による病原菌の除去、銀等の金属イオンの添加による殺菌、拮抗微生物の添加等がある。しかしながら、いずれも付帯設備の設置や管理によるコストアップが問題になり、更には、植物体にダメージを与えたり、養液中の有効成分を分解する等の新たな問題を生じ、未だに決定的な感染防止の効果は得られていない。
【非特許文献１】「養液栽培の新マニュアル」編者：（社）日本施設園芸協会、（株）誠文堂新光社、２００２年７月発行
【発明の開示】
本発明の目的は、上記した従来技術の欠点を解消した植物栽培用器具、植物−フィルムの複合体、および植物栽培方法を提供することにある。
本発明の他の目的は、根に対する酸素供給と、水および肥料成分供給との両方ともを好適に行うことを可能とする植物栽培用器具、植物−フィルムの複合体、および植物栽培方法を提供することにある。
本発明の他の目的は、植物の病原菌による感染の危険性を極めて抑制した植物栽培用器具、植物−フィルムの複合体、および植物栽培方法を提供することにある。
本発明者らは鋭意研究の結果、フィルム（例えば高分子製フィルム）が、植物の根と実質的に一体化するという全く新たな現象を見出した。
本発明者らは、このような知見に基づいて更に研究を進めた結果、フィルムと実質的に一体化した植物の根が、フィルムを介して、溶液中の肥料成分および水を植物の成長に必要な程度、吸収する現象をも見出した。
本発明の植物栽培用器具は上記知見に基づくものであり、より詳しくは、栽培すべき植物体を収容可能な形状を有する器具であって；その少なくとも一部に、該植物体の根と実質的に一体化しうるフィルムを有することを特徴とするものである。
上記構成を有する本発明においては、前記フィルムとしては、例えば、所定の温度（２７±３℃）において、該フィルムを介して水と塩水とを対向して接触させた際に、測定開始２４時間後の水／塩水の電気伝導度（ＥＣ）の差ΔＥＣ２４ｈｒｓ（ｄＳ／ｍ）を、フィルム厚み（μｍ）を横軸にプロットしたグラフの傾きΔＥＣ２４ｈｒｓ（ｄＳ／ｍ）／１０μｍが、０．７以下であることが好ましい。この傾きΔＥＣ２４ｈｒｓ（ｄＳ／ｍ）／１０μｍは、更には０．５以下、特に０．３以下であることが好ましい。このようなフィルムを用いた場合には、フィルム厚みに基づく耐久性と、フィルム透過性との良好なバランスを容易に得ることができる。
本発明によれば更に、植物体と、該植物体の根と実質的に一体化したフィルムとを少なくとも有する植物−フィルムの複合体が提供される。
本発明によれば更に、植物体を収容可能な形状を有する器具であって；その少なくとも一部に、該植物体の根と実質的に一体化しうるフィルムを有することを特徴とする植物栽培用器具を用い；該容器中に植物保持用支持体および植物体を配置し；肥料成分を含有する水を、少なくとも前記フィルムを介して接触させつつ、前記植物体を栽培する植物栽培方法が提供される。
上記構成を有する本発明の植物栽培用器具においては、植物の根と養液（肥料成分を含む液体）とが直接には接触してはいない。換言すれば、植物体に対する酸素供給と、水および肥料成分の供給とが好適に機能分離された状態にある。このため、本発明においては、植物が空気中の酸素を有効に利用することができ、従来の養液栽培の問題（すなわち、植物の根と養液が直接に接することにより生ずる多くの問題）であったところの、根に対する酸素の供給、養液の精密な管理、根からの養液の汚染あるいは養液から植物への病原菌汚染等の問題を容易に解消することができる。更に、本発明の植物栽培用器具を用いることにより、栽培すべき植物を水分抑制状態とすることが極めて容易となり、該植物を高品質化することができる。
本発明者は上記により得られた知見に基づき更に研究を進めた結果、以下のような現象をも観察した。
すなわち、本発明によるシステムでは、水は水蒸気として根の存在する側のフィルム表面に供給され、他方、肥料成分も膜中の水にイオンとして溶ける。この肥料成分は、（１）根が直接フィルム表面から水と共に吸収する、あるいは（２）根の存在する側の膜表面に水が存在すると肥料成分が膜中からこの水に移行し根が吸収する、の２通りの方法で根に吸い上げられると推定される。後述する実施例（実施例１２）には主要な肥料成分が膜（フィルム）を透過するデータが示されており、明らかに肥料成分が膜を透過していることがわかる。
【図面の簡単な説明】  図１は、本発明の植物栽培用器具の基本的な態様の例を示す模式断面図である。
図２は、本発明の植物栽培用器具の他の態様例を示す模式断面図である。
図３は、本発明において用いるフィルム特性（水−塩水接触）測定を説明するための模式断面図である。
図４は、本発明に用いるフィルム特性（引き剥がし強度）測定を説明するための模式斜視図である。
図５は、本発明の植物栽培用器具の他の態様例を示す模式断面図である。
図６は、本発明の植物栽培用器具の他の態様例を示す模式断面図である。
図７は、本発明の植物栽培用器具の他の態様例を示す模式断面図である。
図８は、本発明の植物栽培用器具の他の態様例を示す模式断面図である。
図９は、本発明の植物栽培用器具の他の態様例を示す模式断面図である。
図１０は、本発明において用いるフィルム特性（水蒸発量）測定を説明するための模式断面図である。
図１１は、実施例において得られた植物の生育状態を示す写真である。
図１２は、実施例において得られた植物の生育状態を示す写真である。
図１３は、実施例において得られた植物の生育状態を示す写真である。
図１４は、実施例において得られた植物根のフィルム上の発達状態を示す写真である。
図１５は、実施例において得られた植物根のフィルム上の発達状態を示す写真である。
図１６は、実施例において得られた植物根のフィルム上の発達状態を示す写真である。
図１７は、本発明において用いるフィルムの特性（引き剥がし強度）測定用の試験片を示す写真である。
図１８は、本発明において用いるフィルム特性（水−塩水接触）測定結果の例を示すグラフである。
図１９は、本発明において用いるフィルム特性（水−ブドウ糖接触）測定結果の例を示すグラフである。
図２０は、植物の根がフィルムを突き抜けた状態の例を示す写真である。
図２１は、植物の根がフィルムを突き抜けた状態の例を示す写真である。
図２２は、植物の根がフィルムを突き抜けない状態の例を示す写真である。
図２３は、実施例において得られた植物の生育初期の状態を示す写真である。
図２４は、実施例において得られた植物の生育終盤の状態を示す写真である。
図２５は、アンモニア性窒素のフィルム透過性を表すグラフである。
図２６は、硝酸性窒素のフィルム透過性を表すグラフである。
図２７は、りん酸のフィルム透過性を表すグラフである。
図２８は、カリウムのフィルム透過性を表すグラフである。
図２９は、カルシウムのフィルム透過性を表すグラフである。
図３０は、マグネシウムのフィルム透過性を表すグラフである。
図３１は、硫黄のフィルム透過性を表すグラフである。
図３２は、植物の植付け時の状態を表す写真である。
図３３は、植物の栽培終了時の状態を表す写真である。
図３４は、植物の栽培終了時の、根／フィルム／養液の界面近傍の状態を表す光学顕微鏡写真（倍率：２５０倍）である。
図３５は、冬季加温時および無加温時の植物の植付け時の状態を表す写真である。
図３６は、冬季加温時および無加温時の植物の栽培終了時の状態を表す写真である。
図３７は、夏期冷却時および無冷却時の植物の植付け時の状態を表す写真である。
図３８は、夏期冷却時および無冷却時の植物の栽培終了時の状態を表す写真である。
図３９は、水分蒸発を防ぐためのマルチフィルムが有る場合と無い場合の植物の栽培終了時の状態を表す写真である。
図４０は、水分蒸発を防ぐためのマルチフィルムが有る場合と無い場合の植物の栽培終了時の状態を表す写真である。
図４１は、ミニトマト栽培開始後３９日目の養液の写真である。
図４２は、ルッコラ、レタス栽培開始後２０日目の養液の写真である。
図４３は、ホウレンソウ栽培開始後４３日目の養液の写真である。
図４４は、種々の厚みの親水性ポリエステルフィルムの０．５％塩水透過性を示すグラフである。
図４５は、種々の厚みのＰＶＡフィルムの０．５％塩水透過性を示すグラフである。
図４６は、ＰＶＡフィルム上に種子（ルッコラ）を配置して発芽させた状態を示す写真（倍率：０．５倍）である。
図４７は、ＰＶＡフィルムと障子紙とを重ねた上に種子（ブロッコリー）を配置して発芽させた状態を示す写真（倍率：０．５倍）である。
図４８は、本発明に使用するフィルムを中間フィルムとして配置した態様を示す模式断面図である。
図４９Ａおよび４９Ｂは、実施例２３において得られた、植物の生長の程度を示す写真である。
図５０Ａおよび５０Ｂは、実施例２４において得られた、植物の生長の程度を示す写真である。
図５１は、実施例２４において得られた、セルトレーの裏側を示す写真である。
図５２Ａおよび５２Ｂは、実施例２５において得られた、植物の生長の程度を示す写真である。
図５３は、実施例２５において得られた、ウレタンフォームの裏側を示す写真である。
図５４は、実施例２６において得られた、数種のフィルムの含水率の温度変化示すグラフである。
【発明を実施するための最良の形態】  以下、必要に応じて図面を参照しつつ本発明を更に具体的に説明する。以下の記載において量比を表す「部」および「％」は、特に断らない限り質量基準とする。
（植物栽培用器具）
本発明の植物栽培用器具は、植物体を収容可能な形状を有する器具であって；その少なくとも一部に、該植物体の根と実質的に一体化し得るフィルムを有する器具である。
該器具の基本的な一態様を示す図１を参照して、この態様の植物栽培用器具１は、植物体を収容するための収容部２を与える（画する）ための壁材３と、該壁材３が画する収容部２の底部に対応する位置（植物体の根が接触すべき部分）の少なくとも一部に配置されたフィルム４とを含む。該フィルム４は、植物体の根と実質的に一体化し得る性質を有する。
図１においては、収容部２の底部全域にフィルム４を配置しているが、本発明においては、該底部の少なくとも一部に、フィルム４が配置されていれば足りる。また、器具１の強度、フィルム４の補強等の観点から、他の材料（例えば、壁材３と同じ材料）で、フィルム４を適当な数に分割してもよい。この場合には、例えば、障子の「さん」と同様の内枠（形状は、格子状、放射状、同心円等、任意である）を設けて、フィルム４を適当な数に分割することができる。
また、必要に応じて（強度、植物体保持等の条件が満たされる限り）、壁材３を含めた器具１の全体をフィルム４ないしは該フィルム４と同様の材料（ただし、厚さは適宜調節する）で構成してもよい。即ち、従来より使用されてきたような公知の植物栽培用容器（例えば、ポット状、トレイ状、プランター状）の全ての部分を、フィルム４ないしは該フィルム４と同様の材料で構成することも可能である。
フィルム４と壁材３とは一体的に成形してもよく、また接着剤や物理的固定手段等の接着・固定手段を用いて、相互に固定してもよい。
上記構成を有する植物栽培用器具１は、例えばこの図１に示すように、溶液容器５内に配置された溶液６に、少なくとも収容部２の底面（この場合にはフィルム４）が接触するようにして、溶液６と接触させることができる。
（他の態様）
図２は、本発明の植物栽培用器具１の他の態様を示す模式断面図である。図２を参照して、この態様においては、植物体収容部２を画する機能を有する有孔の壁材３（例えば、「ざる」状の形状を有する壁材３）の内側（植物体を配置すべき側）に、植物体の根と実質的に一体化し得る性質を有するフィルム４が全面的に配置されている以外は図１の態様と同様である。
（他の態様２）
また例えば、図４８の模式断面図に示すように、本発明のフィルムを中間フィルム１２として配置し、下方フィルム１３として水あるいは養液を保持する機能を有するフィルムを配置し、更に、上方フィルム１１として、水分蒸発を防ぐため、水蒸気透過の無いフィルムあるいは中間フィルム１２より水蒸気透過の少ないフィルム、の３層で構成することができる。また、上方のフィルム１１空気（植物にとって有用な酸素や炭酸ガスなど）を透過することがより望ましい。この３層のフィルムの端を、例えば熱あるいは接着剤で接合することができる。各フィルムないし積層フィルムの形状は特に制限されないが、必要に応じて、端以外の部分１４を点状および／又は線状に接合することができる。
例えば上面フィルム１１に植物の植えこみ口１５を設け、植物を植えこむことができる。その際、必要に応じて、植物支持体を使用しても良い。例えば、下面フィルム１３には液体の給排水口１７を設け、養液あるいは水１６を供給できるようにすることができる。
このような形態にすることにより、養液あるいは水が袋に密封され、本システム全体の搬送や、設置の際水溶液が外に漏れることがない。
上記した本発明のシステムは、水平だけでなく、壁掛けのように垂直にも置くこともできるため、多様な形態における使用が可能である。
（フィルム）
本発明において、植物栽培用器具１を構成するフィルム４（または図４８のフィルム１２；以下同様）は、「植物体の根と実質的に一体化し得る」であることが特徴である。本発明において「植物体の根と実質的に一体化」できるか否かは、例えば、後述する「一体化試験」によって判断できる。本発明者らの知見によれば、「植物体の根と実質的に一体化し得る」フィルム４としては、以下のような水分透過性／イオン透過性のバランスを有するフィルムが好ましいことが見出されている。本発明者らの知見によれば、このような水分／イオン透過性のバランスを有するフィルムにおいては、栽培すべき植物の成長（特に、根の成長）に好適な水分／養分透過性のバランスが容易に実現できるため、根と実質的に一体化が可能となると推定される。本発明において、植物はフィルムを通して肥料をイオンとして吸収するが、このような使用するフィルムの塩類（イオン）透過性が、植物に与えられる肥料成分の量に影響すると推定される。該フィルムを介して水と塩水を対向して接触させた際に、下記に示す測定開始４日後の水／塩水の電気伝導度（ＥＣ）の差が４．５ｄＳ／ｍ以下のイオン透過性を有するフィルムを好適に用いることができる。このようなフィルムを用いた際には、根に対する好適な水あるいは肥料溶液を供給し、該フィルムと根との一体化を促進することが容易となる。
このフィルムは、耐水圧として１０ｃｍ以上の水不透性を有することが好ましい。このようなフィルムを用いた際には、根に対する好適な酸素供給および該フィルムを介しての病原菌汚染を防止することが容易となる。
（耐水圧）
耐水圧はＪＩＳ  Ｌ１０９２（Ｂ法）に準じた方法によって測定することができる。本発明のフィルムの耐水圧としては１０ｃｍ以上、好ましくは２０ｃｍ以上、より好ましくは３０ｃｍ以上である。
（水分／イオン透過性）
本発明においては、上記フィルム４は、該フィルムを介して水と塩水（０．５質量％）とを対向して接触させた際に、測定開始４日後の水／塩水の栽培温度において測定した電気伝導度（ＥＣ）の差が４．５ｄＳ／ｍ以下であることが好ましい。この電気伝導度の差は、更には３．５ｄＳ／ｍ以下であることが好ましい。特に、２．０ｄＳ／ｍ以下であることが好ましい。この電気伝導度の差は、以下のようにして測定することが好ましい。
＜実験器具等＞
なお、本明細書の以降の部分（実施例も含む）において用いた実験器具、装置および材料は、（特に指定がない限り）後述する「実施例」の前の部分に示した通りである。
＜電気伝導度の測定方法＞
肥料は、通常イオンの形で吸収されるため、液中に溶けている塩類（あるいはイオン）量を把握することが望ましい。このイオン濃度を測定する手段として電気伝導度（ＥＣ、イーシー）を用いる。ＥＣは比導電率ともいい、断面積１ｃｍ２の電極２枚を１ｃｍの距離に離したときの電気伝導度の値を使用する。単位はシーメンス（Ｓ）が使われ、Ｓ／ｃｍとなるが肥料養液のＥＣは小さいので、１／１０００のｍＳ／ｃｍを使う（国際単位系ではｄＳ／ｍ（ｄはデシ）と表示する）。
実際の測定においては、上記した電気伝導度の測定部位（センサー部）にスポイトを用いて試料（例えば溶液）を少量乗せ、導電率を測定する。
＜フィルムの塩／水の透過試験＞
市販の食塩（例えば、後述する「伯方の塩」）１０ｇを水２０００ｍｌに溶解して、０．５％塩水を作製する（ＥＣ：約９ｄＳ／ｍ）。
図３を参照して、上記「ざるボウルセット」を使い、ざる上に試験すべきフィルム（サイズ：２００〜２６０×２００〜２６０ｍｍ）を乗せ、該フィルム上に水１５０ｇを加える。他方、ボウル側に上記の塩水１５０ｇを加え、得られた系全体を食品用ラップ（ポリ塩化ビニリデンフィルム、商品名：サランラップ、旭化成社製）で包んで、水分の蒸発を防ぐ。この状態で、常温で放置して、２４ｈｒｓ毎に水側、塩水側のＥＣを測定する。
本発明においては、フィルムを介する植物の根の養分（有機物）吸収を容易とする点からは、上記フィルムは、所定のグルコース透過性を示すことが好ましい。このグルコース透過性は、下記の水／グルコース溶液の透過試験により好適に評価できる。本発明においては、上記フィルムは、該フィルムを介して水とグルコース溶液とを対向して接触させた際に、測定開始後３日目（７２時間）の水／グルコース溶液の栽培温度において測定した濃度（Ｂｒｉｘ％）の差が４以下であることが好ましい。この濃度（Ｂｒｉｘ％）の差は、更には、３以下、より好ましくは２以下（特に１．５以下）であることが好ましい。
＜フィルムの水／グルコース溶液透過試験＞
市販のグルコース（ブドウ糖）を用いて５％グルコース溶液を作製する。上記塩水試験と同様の「ざるボウルセットを使い、ざる上に試験すべきフィルム（サイズ：２００〜２６０×２００〜２６０ｍｍ）を乗せ、該フィルム上に水１５０ｇを加える。他方、ボウル側に上記のグルコース溶液１５０ｇを加え、得られた系全体を食品用ラップ（ポリ塩化ビニリデンフィルム、商品名：サランラップ、旭化成社製）で包んで、水分の蒸発を防ぐ。この状態で、常温で放置して、２４ｈｒｓ毎に水側、グルコース溶液側の糖度（Ｂｒｉｘ％）を糖度計で測定する。
（植物との一体化）
後述する実施例１の条件（バーミキュライト使用）で、試験を行う。すなわち、サニーレタス（本葉１枚強）を２本用いて、実施例１の液肥（原液ハイポネックス１０００倍希釈液）条件で、３５日間、植物の成長試験を行う。
得られた植物−フィルムの系において、植物苗の根元で茎葉を切断する。根の密着したフィルムの茎がほぼ中心になるように、該フィルムを巾５ｃｍ（長さ：約２０ｃｍ）に切断して試験片とする図１７を参照）。
図４を参照して、ばね式手秤に市販のクリップを付け、上記で得た試験片の一方をクリップで固定して、ばね式手秤の示す重量（試験片の自重に対応＝Ａグラム）を記録する。次いで試験片の中心にある茎を手で持ち、下方に緩やかに引き下げて、根とフィルムが離れる（あるいは切断される）際の重量（荷重＝Ｂグラム）をばね式手秤の目盛りから読み取る。この値から初期の重量を差し引き、得られた（Ｂ−Ａ）グラムを巾５ｃｍの引き剥がし荷重とする。
本発明においては、このようにして測定された剥離強度において、前記植物体の根に対して１０ｇ以上の剥離強度を示すフィルムが好適に使用可能である。この剥離強度は、更には３０ｇ以上、特に１００ｇ以上であることが好ましい。
（光学顕微鏡による確認）
上述したように、本発明においては、フィルムと植物の根の一体化は、根が密着したフィルムから根を引き剥しため必要な荷重の大きさで評価することができるが、この一体化は、光学顕微鏡によっても確認することができる。例えば、後述する実施例１４に示すように、根とフィルムの界面の光学顕微鏡写真において、根とフィルムが一体化して、根がフィルム表面を実質的に隙間無く覆っていることが観察され、フィルムと植物の根が一体化していることが確認されている。また、根と根が密着し、お互いに根を共有している様子が見られる。
（フィルム材料）
上述した「根と実質的に一体化し得る」性質を満足する限り、本発明において、使用可能なフィルム材料は、特に制限されず、公知の材料から適宜選択して使用することが可能である。このような材料は、通常フィルムないし膜の形態で用いることができる。
より具体的には、このようなフィルム材料としては、例えば、ポリビニルアルコール（ＰＶＡ）、セロファン、酢酸セルロース、硝酸セルロース、エチルセルロース、ポリエステル等の親水性材料が使用可能である。
上記フィルムの厚さも特に制限されないが、通常は、３００μｍ以下程度、更には２００〜５μｍ程度、特に１００〜２０μｍ程度であることが好ましい。
必要に応じて、上記フィルム４は他の材料と複合化（例えば、ラミネート化）してもよい。このような複合化は、例えば、フィルムの強度維持の点から好ましい。上記した「他の材料」としては、本発明におけるフィルム４の効果（根との実質的な一体化）を実質的に妨害しない限り特に制限されない。通常の多孔質材料（例えば、不織布）、透水性および／又はイオン透過性材料等を、植物体から見てフィルム４より外側（すなわち、フィルム４より溶液側）に配置しても、本発明におけるフィルム４の効果が実質的に妨害されない場合が多い。他方、後述するように、所定の材料を植物体から見てフィルム４より内側（すなわち、フィルム４より植物側）配置しても、本発明におけるフィルム４の効果が実質的に妨害されない場合もあり得る（したがって、このような「他の材料」も使用可能である）。
本発明のフィルム４の強度補強、取り扱い易さおよび形状保持性の向上の目的で、必要に応じて、「他の材料」と複合化する場合、このような「他の材料」としては、例えば、ポリエチレン、ポリプロピレン、ポリエチレンテレフタレート、ポリアミド、ポリビニルアルコール、セルロース等から成る不織布および連通孔を有するスポンジ等が挙げられる。該複合化の手法としては、例えば、貼り合せ、二重容器等が挙げられる。
更には、フィルム４の機械的強度を考慮して、該フィルム４の外側を、水透過性を有する他の材料でカバーしてもよい。該「他の材料」とフィルム４とは接触（一部接触を含む）していてもよく、また必要に応じて、互いに間隙をおいて配置してもよい。このような材料としては、例えば、金属、プラスチック、セラミック、木材等の比較的堅い材料が挙げられる。
（器具・収容部・壁材）
器具１の形状、大きさ等も特に制限されず、例えば、従来より使用されてきたような公知の栽培容器（例えば、ポット状、トレイ状、プランター状）の形状、大きさ等を、そのまま用いることができる。
また、該器具１の収容部２の形状、大きさ、ないしは該収容部を与えるための壁材３の材質、厚さ等も、特に制限されず、育成すべき植物の水分消費量、容器の内容積、植物支持体（土壌等）の通気性、水の温度等の種々の条件を考慮して、適宜選択することが可能である。
例えば、壁材３の材質としては、軽量化、易成形性および低コスト化の点からはポリプロピレン、ポリ塩化ビニル、ポリエチレン等の汎用プラスチックが好適に使用可能である。
（無孔性親水性フィルムと多孔性疎水性フィルム）
水を透過せず、水蒸気を透過する透湿性材料には、（１）多孔性を持つタイプと、（２）無孔性のタイプとの２種類が知られている。前者の多孔性の材料として、微孔を多数付与した疎水性高分子フィルムがあるが、このタイプの場合、水蒸気は微孔を透過するのであって、疎水性であるフィルム自身に水が浸透しないので、肥料成分としてのイオンは実質的に透過できないと推定される。他方、本発明者の知見によれば、後者の無孔性のタイプにおいては、肥料成分としてのイオンの透過が容易である。この点からは、（１）微孔を有する疎水性高分子フィルムよりも、（２）無孔性のタイプの方が本発明のシステムに適している。例えば、後述する実施例（実施例１３）には、微孔性ポリプロピレンフィルム「ＰＨ−３５」（（株）トクヤマ製）を用いた植物栽培例が示されている。この例においては、２６日間栽培後の植物体の重量がＰＶＡフィルムでは１３．１ｇなのに対し、微孔性ポリプロピレンフィルムでは１ｇ以下と育ちが劣り、実質的に肥料成分が微孔性ポリプロピレンフィルムを透過していないことを示している。
（マルチフィルムによる植物体の成長性および糖度／Ｂｒｉｘ値の制御）
本発明においては、いわゆる「マルチフィルム」も、好適に使用することができる。ここに、「マルチフィルム」とは、植物の生長を助けるため、防寒・乾燥防止などを根元や幹などに施す目的のために使用されるフィルムを言う。このようなマルチフィルムを用いた場合には、水分の有効利用性が高まるというメリットを得ることができる。
すなわち、本発明によるシステムでは、養液からフィルム中に移動した水が、フィルムに密着した植物の根によって直接吸収される以外に、土壌側のフィルム表面から水蒸気として蒸発する傾向がある。このように蒸発する水蒸気を大気中に出来る限り逃がさないようにするために、土壌表面をマルチフィルムで覆うことができる。マルチフィルムで覆うことにより、土壌側のマルチフィルム面に水蒸気を凝結させ、水として利用することができる。
例えば、実施例１８にサニーレタスおよびルッコラのマルチフィルムの有無による、作物の重量およびＢｒｉｘ値を示した。マルチフィルムにより作物重量が増え、マルチフィルム無しは、より水分抑制がかかって、Ｂｒｉｘ値が上がることを示している。
（フィルムの含水率）
本発明者の知見によれば、無孔性親水性フィルムがイオン透過する理由は、肥料成分であるイオンが水と共にフィルムの片側から中に浸透し、反対側のフィルム面に到達するためであると推定される。このメカニズムに従えば、例えば、フィルムの含水率が大きくすることにより、水分および肥料成分等の透過量を増大させることができる。
後述する実施例２６には、フィルムの含水率を測定した結果を示す（この実施例において使用したフィルムは、フィルム種類や厚みによる含水率の差は、比較的に小さいものであった）。本発明においては、例えば、含水率をより高めたフィルムに改質することにより、水分あるいは肥料成分等の透過を、更に大きくすることができる。このように、含水率をより高めるためのフィルム改質は、フィルムに親水性をより多く持たせることで、例えば、［文献：Ｐ．Ｊ．フローリー著「高分子化学Ｉ」昭和４０年８月２０日第３版第９刷、訳者  岡  小天、金丸  競  発行所  丸善株式会社  Ｐ３８〜４７、Ｐ４８〜５４、Ｐ１６８〜２２１］で参照される方法で水酸基（ＯＨ）などの親水基を含む分子をより多く、共重合することで可能となる。また、表面改質方法があり、その詳細は、例えば［文献：「電気電子用プラスチック材料」発行  ２００２年３月  株式会社東レリサーチセンター  Ｐ４７〜７７］を参照することができる。
（フィルム組成へのイオン基の導入）
一般に、植物は肥料成分を水に溶けた状態のイオンとして吸収する。例えば、肥料成分の１つである窒素は、ＮＨ４＋あるいはＮＯ３−として植物に吸収されるが、どちらの成分を吸収し易いかは植物によって異なる。従来は、供給する肥料としてＮＨ４＋体窒素とＮＯ３−体窒素のバランスを変えることが行われてた。本発明のシステムにおいては、例えば、フィルム中にプラスイオン基を導入することによりＮＯ３−を透過しにくくすることができる。他方、フィルム中にマイナスイオン基を導入することにより、ＮＨ４＋を透過しにくくすることができる。このように、フィルム組成へのイオン基の導入の詳細に関しては、例えば、［文献：Ｐ．Ｊ．フローリー著「高分子化学Ｉ」昭和４０年８月２０日第３版第９刷、訳者  岡  小天、金丸  競  発行所  丸善株式会社  Ｐ３８〜４７、Ｐ４８〜５４、Ｐ１６８〜２２１］で参照される方法でイオン基を、導入することで可能となる。また、表面改質方法があり、その詳細は、例えば［文献：「電気電子用プラスチック材料」発行  ２００２年３月  株式会社東レリサーチセンター  Ｐ４７〜７７］を参照することができる。
（容器の形成方法）
上記構成を有する植物栽培用器具の使用方法は特に制限されないが、例えば、該容器中に植物保持用支持体および植物体を配置し、少なくとも前記フィルムを水もしくは肥料溶液に接触させつつ、該植物体を栽培すればよい。
（植物体）
本発明において栽培可能な植物（体）は、特に制限されない。本発明の栽培方法においては、植物の成長した根が、上記したフィルムと一体化した後に、該フィルムを介して接する液体からの肥料成分吸収が可能となるため、該植物は、ある程度成長した苗の状態であることが望ましい。ただし、該植物を保持すべき支持体（ないし土壌）中に、該植物がフィルムと一体化するまでの根の成長を可能とする程度の養分および水分を含有ないし混入することにより、種子ないし発芽直後の種子であっても、本発明の栽培方法により栽培することが可能となる。また、苗あるいは種から栽培された本発明の栽培方法による植物体の生育は均一であり、例えば、苗生産などの収率が向上する。これは、通常の頭上潅水に比べ、フィルムを介する水や養分の供給がより均一であること、また、図１４、１５あるいは図３４に示されるように、植物体相互の根が密着し、根圏領域を共有するためと考えられる。
また、本発明においては、支持体無しで、直接フィルム上に植物体（例えば、種子）を蒔いて発芽させ、生育させることも可能である。
例えば、後述する実施例２２に示すように、養液の上に厚み４０μｍのＰＶＡフィルム単独あるいはＰＶＡフィルム上に障子紙を重ね、ルッコラとブロッコリーの種子を用いて、充分な発芽〜生育における発芽生長を行うことができる。この場合、植物体に接触させるべきフィルムは、透湿性フィルム単独であってもよく、また、必要に応じて、透湿性フィルムに障子紙等の紙、吸湿性の繊維、不織布等を重ねてもよい。
このように、フィルム上に直接種子を蒔き、生育させることにより、得られた生長後の植物体を「苗」として使用できることはもちろんであるが、野菜のスプラウト（新芽）を作製する手段としても、本発明の栽培方法は非常に有効となる。例えば、本発明の特徴の一つとして前述したように、養液からのウイルスや病原菌から植物体が汚染されることを有効に防止することができる。また、一般的には、スプラウトは発泡ポリウレタンなどの培地に種子を蒔いて、発芽生育する方法がとられているが、本発明によれば、フィルム上にスプラウトを生長させることが出来るため、容易に根とフィルムを剥がすことにより、スプラウトを容易に回収することも可能になる。その他、スプラウトの製造時においても、本発明の栽培方法が有する、多くの特徴を活かすことが出来ることは、もちろんである。
（植物保持用支持体）
本発明においては、上記の植物保持用支持体（ないし土壌）としては、従来より公知の支持体を特に制限なく使用することが可能である。このような支持体としては、例えば、土壌（礫、砂、土）、炭化物、天然鉱物質（バーミキュライト、パーライト、ゼオライト等）、天然植物質（ピートモス、パーク、水苔、ヤシガラ等）、植物育成用保水材およびこれらを配合した苗育苗用混合植込材料等が挙げられる。
（土壌）
上述したように、通常使用される土壌ないし培地は、本発明において、いずれも使用可能である。このような土壌ないし培地としては、例えば、土耕栽培に用いられる土壌、および水耕栽培に用いられる培地が挙げられる。
例えば、無機系では天然の砂、れき、パミスサンドなど、加工品（高温焼成等）では、ロックウール、バーミキュライト、パーライト、セラミック、籾殻くん炭など。有機系では天然のピートモス、ココヤシ繊維、樹皮培地、籾殻、ニータン、ソータンなど、合成品の粒状フェノール樹脂などがある。また、これらの混合物でもよい。必要最小限の肥料および微量要素を、これらの土壌ないし培地に加えてもよい。本発明者らの知見によれば、本発明の栽培器具／栽培方法においては、植物の根が、フィルムを介して接触する養液側から吸収可能な程度に伸びるまでの養分は、ここに言う「必要最小限の肥料および微量要素」として、フィルムより内側（すなわち、植物側）に加えておくことが望ましい。
（植物保持支持体が無い場合）
本発明のシステムにおいては、植物保持支持体が無い場合でも植えつけ苗を生育することができる。例えば、後述する実施例２３には、フィルムの上にマルチフィルム重ねただけのケースを用いた場合を示し、実施例２４には、フィルムとマルチフィルムの間にプラスチックの箱で空間を設けたケースを用いた場合の苗の生育を行ったデータを示す。これらのいずれの場合にも、植物の生育が認められる。
また、実施例２５には、フィルムとマルチフィルムの間に軟質ウレタンフォームを置いたケースをを用いた場合示す。この例においても、やはり植物体は生育している。従って、一般的に知られている土壌から、土壌の類を全く使用しない場合、あるいは、人工的な構造物（板状、箱状、繊維状、綿状、粒子状、発泡体など）を使用する場合にも、本発明のシステムによれば、植物を生育させることができる。
（養液）
本発明において使用可能な養液（ないし肥料溶液）は特に制限されない。例えば、従来の養液栽培ないし水耕栽培において使用されてきた液状成分は、本発明においていずれも使用可能である。
一般には、水あるいは養液とした植物の生育にとって必要不可欠な無機成分としては、主要な成分として：窒素（Ｎ）、リン（Ｐ）、カリウム（Ｋ）、カルシウム（Ｃａ）、マグネシウム（Ｍｇ）、硫黄（Ｓ）、微量成分として：鉄（Ｆｅ）、マンガン（Ｍｎ）、ホウ素（Ｂ）、銅（Ｃｕ）、亜鉛（Ｚｎ）、モリブデン（Ｍｏ）が挙げられる。さらにこの他に、副成分として、珪素（Ｓｉ）、塩素（Ｃｌ）、アルミニウム（Ａｌ）、ナトリウム（Ｎａ）等がある。必要に応じて、本発明の効果を実質的に阻害しない限り、その他の生理活性物質も加えることができる。更に、グルコース（ブドウ糖）などの糖質を添加することも可能である。
近年、窒素、りん酸、カリウムなどの肥料成分の他に、ビタミン類、アミノ酸、糖類、微生物等が含まれている植物活力剤と称される材料が使用されている。このような「植物活力剤」も、本発明において一般に使用可能である。例えば、前述した糖類以外にも、例えば、ビタミン類、アミノ酸類等も使用可能である。このアミノ酸類としては、例えば「ペプトン」が使用可能である。また、ビタミン類としては、例えば「酵母エキス」が使用可能である。
ここに、ペプトンとは、一般的に各種のたんぱく質を酵素分解または酸で加水分解したものの総称である。このペプトンは、ポリペプチドからアミノ酸までの成分が混在し、加熱処理により凝固しない物質と定義されている（この「ペプトン」の詳細については、例えば文献［化学大辞典８  １９８７年２月１５日縮刷版第３０刷  編集者  化学大辞典編集委員会  発行所  共立出版株式会社  Ｐ３６９］を参照することができる）。
上記の「酵母エキス」とは、酵母菌に含まれるビタミン、核酸成分、ミネラル、未知の菌体増殖ホルモンなどを実質的に損なうことなく菌体自身の自己消化作用を利用して菌体外に取り出し、その水溶性部分だけを低温処理および噴霧乾燥したものを言う（この「酵母エキス」の詳細については、例えば文献［化学大辞典３  １９８７年２月１５日縮刷版第３０刷  編集者  化学大辞典編集委員会  発行所  共立出版株式会社  Ｐ６０３］を参照することができる）。
（根圏温度の制御）
本発明においては、必要に応じて、フィルムを介して植物体の根と接触する液体（例えば、養液）の温度を制御することにより、該フィルムと一体化すべき（ないしは、既に一体化した）根周辺の温度、すなわち根圏温度を調節することができる。このような態様によれば、温室等の室内全体を暖房／冷房していた従来の方式と比べて、植物の根圏温度を精密に、且つ省エネルギー的にコントロールすることが容易となる。
本発明においては、特に、植物体の根がフィルムと密着ないし一体化しているため、根圏温度の制御が特に容易である。
加えて、本発明によるシステムでは加温、冷却すべき使用水量が極めて少ないこと、従来の養液栽培のように、養液の溶存酸素を増やす操作が不要であること、あるいは、栽培ベッド中の養液が外気と直接に触れず、密閉されているため保温効果に優れ、全体として加温冷却を効率的に行うことができ、エネルギーコストに優位性がある。例えば、根圏の冬場の加温、夏場の冷却効果をホウレンソウについて実施例１７に示す。ホウレンソウの育成適温は１５〜２０℃とされるが、厳冬期や盛夏においては、適温範囲を大きくはずれることが多い。このような厳冬期や盛夏の時期においても、根圏のみを適温範囲に制御することにより、実施例１７に示すように、作物重量がアップし優れた生育が得られることがわかる。
（栽培方法）
本発明においては、上記した構成を有する栽培器具１を使用する限り、これと組み合わせて使用すべき栽培方法は、特に制限されない。本発明において好適に使用可能な栽培方法の態様を、以下に述べる。
（好適な栽培方法）
図５の模式断面図を参照して、この態様においては、フィルムと溶液とが直接に接触している。この態様においては、溶液内部に配置したヒーターによって、該溶液を加温することもできる。また、溶液を外部で加温して循環することもできる。例えば、発泡スチロール製のトロ箱を用い、肥料溶液の上にフィルム（網目のある箱を支えにしてもよい）を置き、土壌を乗せ、苗を植え付けることができる。この態様においては、肥料水溶液はフィルムによって蓋をされ、水分の蒸発は主として植物を通して行われるので、水溶液表面から直接の蒸散を防ぐことができる。
図６の模式断面図を参照して、この態様においては、フィルムが網状の容器を介して溶液と接触している。網状の容器は、フィルムの破損防止等のために有用である。図７（ａ）および（ｂ）は、網状の容器内にフィルムを配置した例図７（ａ））と、溶液中にこれらの容器を複数配置した例図７（ｂ））を示す。
図８の模式断面図を参照して、この態様においては、フィルムと容器の接触面におけるサイホン効果で、溶液をフィルムと接触させる例を示す。この態様においては、溶液の種類切替の容易さなど自由度が増えるという利点がある。
図９の模式断面図を参照して、この態様においては、不織布等の吸水マットの上にフィルムを配置することにより溶液をフィルムと接触させて供給する。例えば、フィルムとして不織布付親水性ポリエステルを用いた容器の隣に水の入った容器を置き、吸水マットのサイホン効果で土壌の容器に水を導くことができる。
本発明においては、上記したような図５〜図９の個々に示した構成の２以上を、必要に応じて組み合わせてもよい。
（本発明の利点）
上記構成を有する本発明の栽培器具ないし栽培方法を用いることにより、植物に対する酸素供給が、植物に対する養分供給から機能分離されることとなる。すなわち、従来の養液栽培の最大の問題点であった根への酸素が、空気中から充分に供給可能ある一方で、養分はフィルムを介して接触する養液から必要な程度を供給することができる。したがって、本発明においては、養液の濃度、ｐＨ等の管理に関し、従来の養液栽培におけるよりも遥かに自由度が増大する。すなわち、本発明においては、植物体がフィルムによって養液と物理的に分離されているため、実質的に、植物体とは無関係に養液を管理することが可能となる。換言すれば、栽培途中における養液自体の交換、および／又は養液の濃度、ｐＨ等の管理が極めて容易になる。
更に、本発明によれば、養液中の有害細菌から、植物体を隔離することが極めて容易である。加えて、フィルムを介して接触する養液からの水分供給が、植物に対しては比較的抑制されるため、糖度等の点における品質の向上も可能となる。
（養液における利点）
上述したように、植物の生育にとって必要不可欠な無機成分としては、主成分：窒素（Ｎ）、リン（Ｐ）、カリウム（Ｋ）、カルシウム（Ｃａ）、マグネシウム（Ｍｇ）、硫黄（Ｓ）、微量成分として：鉄（Ｆｅ）、マンガン（Ｍｎ）、ホウ素（Ｂ）、銅（Ｃｕ）、亜鉛（Ｚｎ）、モリブデン（Ｍｏ）が挙げられる。さらにこの他に、副成分として、珪素（Ｓｉ）、塩素（Ｃｌ）、アルミニウム（Ａｌ）、ナトリウム（Ｎａ）等がある。これらの成分は通常はイオンの形で供給されるが、植物の種類ごとに要求する各成分の量が異なるため、一般には、植物ごとに配合を決める必要がある。また、使用する水によっては、含まれるイオンの量も考慮した濃度の調整が必要になる場合がある。
養液−植物体がフィルムによって分離されている本発明においては、このような養液組成の調整も、遥かに容易に行うことができる。例えば、植物体をフィルムごと第１の養液から引き上げて分離し、他の組成を有する第２の養液中に浸漬すればよい。
（養液の濃度）
養液の個々の成分濃度や全塩濃度は、作物の生育や品質に大きな影響を及ぼす。従って、養液の濃度をどの値にするかは重要な問題である。生育段階、生育環境条件によって大きく変化することが明らかになっている。
これまで、日本では最初に調整したときの成分組成が栽培中にも変化せず、不必要なものは蓄積しないことが理想とされてきたが、ロックウール等の固形培地では、かん液する培養液と排液の組成、濃度は必ずしも一致していない。欧州では、培地内に存在する養液をスターター養液、日々かん液する養液を追肥養液と呼び、両者を区別している。今後、栽培の各段階で、養液組成、濃度を変化させることが必要になる可能性がある。
養液−植物体がフィルムによって分離されている本発明においては、このような養液濃度の調整も、上記した養液組成の調整と同時に、遥かに容易に行うことができる。
（ｐＨ）
養液のｐＨ（水素イオン濃度）は植物の養分吸収によって変化するが、同時に、植物体の根による養分吸収能にも直接影響することが知られている。高ｐＨ（アルカリ性側）条件ではＰ、Ｃａ、Ｆｅ、Ｍｎの溶解度が低い場合があり、また植物の吸収できるイオン形態でない場合もある。また、低ｐＨ（酸性側）ではＭｎの過剰吸収が生じる場合がある。このことから、一般的にｐＨ５．５〜６．５が好適とされる。養液栽培で用いる養液のｐＨが変化する主な原因は、陽イオンと陰イオンの吸収の不均衡である。また、植物が硝酸態窒素（ＮＯ３−）とアンモニア態窒素（ＮＨ４＋）のどちらを優先吸収するかによっても影響を受け、ＮＯ３−が優先吸収されるとｐＨは上昇傾向となり、ＮＨ４＋が優先すると低下する。更に、根からの漏出や、根の腐敗による、酢酸、蟻酸、プロピオン酸等の有機酸の生成によっても、養液のｐＨが容易に変化することである。
養液−植物体がフィルムによって分離されている本発明においては、このような養液ｐＨの調整も、上記した養液組成の調整と同様に、遥かに容易に行うことができる。
（酸素濃度）
一般に、植物体の育成において、酸素の供給は最も重要な条件である。特に、高温時には根の呼吸が高まって酸素要求量が増すが、一方で溶存酸素濃度は低くなるので、酸素欠乏の問題がある。酸素不足が発生すると「根づまり」と称される現象が生じ、その結果、根が腐敗し、アンモニアが発生し、養液のｐＨが上昇し始める。根への酸素の供給は水耕栽培では液中の溶存酸素によるか、直接空気中の酸素に接することによって補う。液中の溶存酸素による場合には、液表面と空気層との接触によって行う自然溶存の場合と、液循環の際の瀑気や吸い込みによって行う場合に分けられる。直接空気中の酸素に接する場合は、ＮＦＴの一部の方式（養液を一次的に止め、根を空気に完全にさらす）やロックウール等で行われている。
根の発育生態を見ると、溶存酸素のみによる場合には根毛がほとんど発達せず、環境適応幅も狭い。それに対し、空気中の酸素を利用した場合には根毛が良く発達し、環境の変化に対し順応性が高い。したがって、有機物が充分に供給された土壌の場合には土壌の団粒構造が発達しており、土壌中に空気すなわち酸素が充分含まれるため、そこで栽培した植物の根には根毛が発達しており、環境に対する適応性も高くなる。養液栽培は、この土壌で栽培した場合の良い点を取り入れる努力がなされ、かつ土壌の場合に生じる欠点を補うことを目標にしているため、特にこの酸素の供給に対しては細心の注意が払われてきた。
養液−植物体がフィルムによって分離されている本発明においては、このような植物への酸素の供給は、空気中の酸素を有効に利用して、かつ、土壌中水分が極めて少ないため、従来の露地栽培と同等以上に、容易に行うことができる。
（高品質化のための養液管理技術−高糖度）
最近、トマトやメロン等の果菜類では、高品質化により高付加価値をつける工夫がなされている。メロンの養液栽培では、収穫前に培養液濃度を高めて果実の糖度を上げることがよく行われている。トマトでは通常、培養液濃度を高めたり、培養液に食塩を加えたり、あるいは海水を加えて浸透圧を高めて、植物体の吸水を抑制して、高糖度の果実を得ている。
養液−植物体がフィルムによって分離されている本発明においては、植物への水の供給は比較的不足した状態であるため、高糖度等の高品質化を容易に行うことができる。
例えば、後述する実施例１５に本発明のシステムによるミニトマトの栽培事例を示すが、通常のミニトマトの糖度４〜５に対し、この例では糖度７．０〜８．４レベルは少なくとも可能であることが確認されている。実施例１６においては、本発明のシステムにより栽培したサニーレタス、ルッコラおよびホウレンソウのＢｒｉｘ値は、通常法と比較してが、いずれも高いＢｒｉｘ値を示している。
（高品質化のための養液管理技術−特定成分の低含量化）
養液−植物体がフィルムによって分離されている本発明においては、上述したように、養液組成、濃度、ｐＨ等の調整が極めて容易であるため、以下のような特定成分の調整も容易に行うことができる。
（１）硝酸態窒素  サラダやホウレン草等の葉菜にはその可食部に葉柄部が含まれているため、高い濃度で硝酸塩が含まれていることがある。硝酸塩は唾液と反応して亜硝酸塩となり、更に消化の過程で発ガン性を持つニトロソアミンという物質を生成するとされている。このため、野菜に含まれる硝酸含量が品質の重要な基準の１つになりつつあり、その低含量化が求められている。養液管理によって植物体の硝酸態窒素含量を低下させるには、まず収穫前の数日間、硝酸態窒素の供給を停止することで可能である。
（２）シュウ酸  葉菜の中でもホウレン草は特にシュウ酸含量が高いものとして知られている。シュウ酸はアク、えぐ味の成分であるばかりでなく、尿路結石の原因物質としても知られ、その低含量化が求められている。例えば、養液中の硝酸態窒素を減らすことでシュウ酸含量を低下させることができる（ただし、一般的には若干の生育の抑制も伴う傾向がある）（養液栽培のデメリットの克服ないし軽減）
（１）一般的には養液栽培においては、初期の資本投資額が大きいとされている。すなわち、養液栽培では温室・ハウスなどの園芸用施設だけでなく、養液栽培装置の設置が不可欠であり、土耕栽培と比較して初期投資額が大きくなる。しかも、養液の給液管理や環境制御等を自動化する場合には、さらに各種コントローラーへの投資が必要となる。
これに対して、養液−植物体がフィルムによって分離されいる本発明においては、フィルムと接している植物の根が同時に土耕栽培に使用されているマトリックスに接触しているため、養液等の環境変化に対する緩衝効果が発揮され、環境制御等が極めて容易となるため、施設コストを著しく軽減することが可能となる。
（２）一般的には、養液栽培においては、ランニングコストがより多くかかるとされている。すなわち、養液栽培は土耕栽培に比べ肥料費や光熱動力費をより多く要する。また、培養液の分析、機器のメンテナンスのほか、方式によっては使用済みロックウールや廃液等の廃棄物処理に費用がかかる場合もある。
これに対して、養液−植物体がフィルムによって分離されいる本発明においては、栽培環境の簡略化により、上述した施設コストのみならずランニングコストをも著しく軽減することが可能となる。
（３）一般的には、養液栽培においては、培養液の管理が難しいとされている。すなわち、養液栽培の場合、土耕栽培よりも地下部の緩衝能力が小さいため、肥料成分や温度、酸素量等の影響を受けやすい。
これに対して、養液−植物体がフィルムによって分離されいる本発明においては、先に述べたように、用いられている土耕栽培用の土壌の緩衝能力により、上述した養液の管理を著しく容易化することが可能となる。
（４）一般的には、養液栽培においては、導入できる植物（例えば、野菜）の種類が限定されている。
これに対して、養液−植物体がフィルムによって分離されいる本発明においては、上述した酸素供給の容易化（実質的に露地栽培と同等以上の酸素供給）、および養液管理の容易化により、従来の養液栽培よりも。適用すべき植物の対象を拡大することが可能となる。
（５）更に、従来、有糖培養によってのみ生育可能な幼苗の栽培方法（例えば、組織培養によるクローン苗の栽培等）においては、寒天培地等にグルコース（ブドウ糖）等を添加し、無菌的に行われてきたが、いくつかの重大な問題点がある。例えば、滅菌操作、クリーンルームの使用等の高いコストと培養段階から圃場に移行する際のグルコースを含む寒天培地の除去、水分環境の激変による活着率の低下、および苗の低品位化である。
これに対して、養液−植物体がフィルムによって分離されている本発明においては、グルコース等の栄養成分がフィルムを介して植物に供給され、かつ酸素が充分供給され、かつフィルムによって菌による汚染が防止されるため、上述した従来の組織培養法の問題点が完全に解消される。
（養液（水）の消費量）
一般的には、養液栽培では水の使用量が多く、夏場のトマトでは１日１本の苗当たり数百ｍＬから２Ｌ以上も消費すると言われている。実際にガーベラ養液栽培において測定された例では１Ｌ／日・本とされている。一般の養液栽培の場合は、表面から大気中への直接蒸発があることに加え、養液中の溶存酸素を増やすために空気と接触面を増やすための操作が行われるため、水分の消費が多くなる。
これに対して、本発明による事例では、実施例１９に示すように、サニーレタスやルッコラの栽培で養液の消費量が０．０１５Ｌ／日・本であり、非常に水消費量が少ないことがわかる。加えて、水使用量が少ないので、肥料のロスを少なくすることが期待できる。水使用量が少ないことは設備投資あるいはランニングコストの面で経済的優位性がある。更には、本発明によれば、水および肥料使用量を最小限に抑えることが可能であり、コスト面以外にも、使用済み廃液も最小限に抑えることができ、環境汚染の極小化が可能となる。
（養液の再使用、コンタミネーション抑制）
本発明によるシステムでは、養液が土壌や根から隔離されているので、根からの分泌物や土壌による養液汚染が少なく、使用後の養液は不純物がほとんど無く、ｐＨや養液濃度の管理が容易になる。実施例２０に、数種類の野菜栽培後の養液の汚染程度を観察した結果を示す。この実施例２０のいずれの例においても、使用後の養液は清澄で、初期の透明さを、ほぼ保っていいる。これは、養液が土壌の敷かれたフィルムで蓋をされている状態にあり、土壌側からの汚染が殆ど無いこと、あるいは、外気から酸素が入りにくく、また、光も入らないことから、微生物や藻類も育ちにくいためと考えられる。従って、養液の再使用に際し必要な処理も容易に且つ最小限の操作で良く、再利用もし易くなる。
また、養液からの土壌汚染が少ないので、土壌として、肥料成分やその他不純物を含まない材料を用いることで、植物の根が微量分泌する物質を回収、定性、定量することが容易になる。
（接木）
一般的に、土壌中の病気や線虫、又は低温や高温により野菜の生育が困難な場合、病害虫抵抗性、耐乾湿性あるいは耐寒耐暑性をもつ台木に栽培品種の穂木を接木して苗作りをすることが行われる場合がある。スイカ・メロン・キュウリ・トマト・ナスなどの野菜栽培には接木を用いた栽培法が行われており、スイカでは９５％と多く、メロン・キュウリ・ナスでは４０〜９０％ほど、およびトマトは５〜１５％が接木により栽培されているとされる。
接木した作物の栄養源は、基本的には（台木の）根からの無機栄養の吸収と光合成であるが、本発明においては、養液−植物体がフィルムによって分離されているため、台木に穂木が完全に接合するまでの間、グルコース等の栄養分をフィルムを介して、接木すべき（または接木した）植物に供給することも可能である。また、本発明によるシステムで作られた植物苗の根は生育に優れ、根の量も多く、毛根も発達しているため、接木に使用する台木としても適している。
（フィルム強度とイオン透過性の関係）
一般に、フィルムの厚さが大きくなるにつれて、（根等によるフィルムの破れ難さは増大するが）養液の透過性は減少する傾向にあると考えられる。
本発明によるシステムでは、植物栽培を長期にわたりフィルム上で行うので、フィルムの長期耐久性（例えば、破れ難さ）は高い方が好ましい。フィルムの耐久性を上げる方法は例えば、組成や延伸などの加工方法などフィルム種類を変えること、あるいは、同一種類の場合は厚みを増す方法もある。これに対して、フィルム厚みを単に増した場合、イオン透過性が低下する可能性がある。
しかしながら、本発明者の知見によれば、例えば、スキン構造を有するフィルムにおいては、厚さが厚くなっても、透過性はあまり低下しない場合があることが見出された。例えばソルベント・キャスティングでは、表面のみが先ず乾燥して緻密な膜（スキン層）を形成するため、スキン構造を有するフィルムが形成される。この場合、スキン構造以外の部分（フィルム内部）は、かなり多孔質のままである。本発明者の知見によれば、「養液の透過」は、緻密なスキン層の透過が律速であり、内部の多孔質部分はあまり影響がない（すなわち、スキン構造の厚さがあまり変化しなければ、フィルムの厚さが大きくなっても、透過性はあまり低下しない）と推定される。例えば、後述するようにＰＶＡフィルムを使用した場合には、厚さが厚くなっても、透過性はあまり低下せず非常に好都合であることが判明している。後述する実施例２１に示すように、フィルム強度を上げるために、フィルム厚みを増しても、ＰＶＡフィルムの場合には、肥料成分のイオン透過性の目安である０．５％塩水透過性が、大きく変化しない利点がある。
この実施例２１においては、親水性ポリエステルフィルムとＰＶＡフィルムについて、フィルム厚みを２０〜７５μｍの範囲で変え、０．５％塩水透過性（肥料イオンのフィルム透過性の目安となる）の試験結果が示されている。ＰＶＡフィルムの場合はフィルム厚みを２５〜６５μｍに変えた場合、殆ど塩水透過性が変化せず、本発明のシステムによる植物栽培において、非常に有利であることがわかる。
（水分／イオン透過性のフィルム厚み依存性）
本発明においては、上記フィルムは、所定の温度（２７±３℃）において、該フィルムを介して水と塩水（０．５質量％）とを対向して接触させた際に、測定開始２４時間後の水／塩水の電気伝導度（ＥＣ）の差で表現した際の水分／イオン透過性が、特定のフィルム厚み依存性を有することが好ましい。この水分／イオン透過性のフィルム厚み依存性が小さい場合には、（例えば、該フィルムの破損耐性を増大させる観点から）フィルム厚みを増大させたとしても、フィルムの水分／イオン透過性は比較的に低下しないこととなり、フィルムの破損耐性の向上、および水分／イオン透過性の維持の両立を図ることが容易となるからである。
より具体的には、２７±３℃において、該フィルムを介して水と塩水を対向して接触させた際に、測定開始２４時間後の水／塩水の電気伝導度（ＥＣ）の差ΔＥＣ２４ｈｒｓ（ｄＳ／ｍ）を、フィルム厚み（μｍ）を横軸にプロットしたグラフの傾きΔＥＣ２４ｈｒｓ（ｄＳ／ｍ）／１０μｍ（即ち、厚み１０μｍ当たりのΔＥＣ２４ｈｒｓ変化量）が、０．７以下であることが好ましく、更には０．５以下（特に０．３以下）であることが好ましい。
上記のフィルム透過度試験においては、比較的に高い温度（２７±３℃）を使用したが、この温度は、本発明に好適に使用可能なフィルムを確認する目的のみに使用するものであって、他の温度条件（例えば、実際の栽培時の温度条件）を何ら制限しない。すなわち、本発明においては、例えば、実質的に温度調節を省略することにより、比較的に低温の条件（冬季等）においても、植物体を栽培することができる。
以下、実施例により本発明を更に具体的に説明する。
【実施例】  以下で用いた実験方法は、上述したものの他は、以下の通りである。
＜水の蒸発量測定＞
図１０の模式断面図を参照して、上述した「ざるボウルセット」を使い、ざるにフィルム（２００〜２６０×２００〜２６０ｍｍ）を敷いた後に土壌を加え、植物の苗（１〜２本）を植え付ける。ボウルに水あるいは所定濃度の肥料希釈液を加え、この上にざるを乗せた。定期的に上皿天秤にて重量を測定し、減量から液の蒸発量を測定した。蒸発により減量した液は随時追加した。
＜成長過程の観察＞
苗の成長過程の観察は、デジタル写真により撮影した（デジタルカメラ：キャノン社製  ＩＸＹ  Ｄｉｇｉｔａｌ  ２００ａ）。
＜試験終了後の観察ならびに測定＞
試験終了後は、根の乗っているフィルムの裏側をフィルム越しに、あるいはフィルムを除き、根の部分を中心に写真撮影を行った。成長した苗の重量測定は、根の付いたまま、あるいは根元で切断し、茎葉部分を秤量した。
＜ｐＨの測定＞
ｐＨの測定は後述のｐＨメーターによって行った。標準液（ｐＨ７．０）で校正したｐＨメーターのセンサー部分を測定すべき溶液につけ、本体を軽く揺らし、値が安定するのを待ち、ＬＣＤ（液晶）表示部に表示される値を読み取った。
＜Ｂｒｉｘ％の測定＞
Ｂｒｉｘ％測定は後述の糖度計（屈折計）を用いて行った。測定溶液をスポイトでサンプリングし、糖度計のプリズム部分に滴下し測定後、ＬＣＤの値を読み取った。
＜実験器具等＞
１．使用器具および装置
１）ざるボールセット：ざるの半径６．４ｃｍ（底面の面積約１３０ｃｍ２）
２）発泡スチロール製トロ箱：サイズ５５×３２×１５ｃｍ等
３）上皿電子天秤：Ｍａｘ．１Ｋｇ                  株式会社タニタ
４）ばね式天秤：Ｍａｘ．５００ｇ                  株式会社鴨下精衡所
５）ポストスケール：ポストマン１００              丸善社
６）電気伝導度計：Ｔｗｉｎ  Ｃｏｎｄ  Ｂ−１７３  株式会社堀場製作所
７）ｐＨメーター：ｐＨパル  ＴＲＡＮＳ  Ｉｎｓｔｒｕｍｅｎｔｓ（グンゼ産業）
８）糖度計（屈折計）：ＰＲ２０１                  （株）アタゴ社製
２．使用材料（土壌）
１）スーパーミックスＡ：水分約７０％  微量肥料入り  株式会社サカタの種
２）ロックファイバー：栽培用粒状綿６６Ｒ（細粒）    日東紡  成分（％）ＳｉＯ２  ４３、ＣａＯ  ３３、Ａｌ２Ｏ３  １５、ＭｇＯ  ６、Ｆｅ２Ｏ３  １以下、ＭｎＯ  １以下
３）バーミキュライト：タイプＧＳ        ニッタイ株式会社
（フィルム）
４）ポリビニルアルコール（ＰＶＡ）：４０μｍ  アイセロ化学
５）二軸延伸ＰＶＡ：ボブロン  日本合成化学工業
６）親水性ポリエステル、同不織布付、生地付：１２μｍ  デュポン社
７）セロファン
８）浸透セロファン：横浜商事（株）
９）微孔性ポリプロピレンフィルム：ＰＨ−３５（約４０μｍ）  トクヤマ
１０）不織布：シャレリア（超極細繊維不織布）旭化成社（苗用種）
１１）サニーレタス：レッドファイヤー  タキイ種苗株式会社
１２）パンジー：マキシムＦ−１  株式会社サカタの種
（肥料）
１３）原液ハイポネックス：  株式会社ハイポネックスジャパン
全窒素量  ５．０％
内アンモニア性窒素  １．９５％、硝酸性窒素  ０．９０％
水溶性リン酸  １０．０％、水溶性カリ  ５．０％、水溶性苦土  ０．０５％
水溶性マンガン  ０．００１％，水溶性ほう素  ０．００５％（その他）
１４）伯方の塩：伯方塩業株式会社
１００ｇ中ナトリウム３７．５ｇ、マグネシウム１１０ｍｇ、カルシウム  ９０ｍｇ、カリウム５０ｍｇ
１５）ブドウ糖：ブドウ糖１００  （株）イーエスＮＡ
【実施例１】（液体肥料の効果）
図１０の系を用いて、ハイポネックス原液の濃度の効果を調べた。すなわち、ハイポネックス１００倍希釈液、１０００倍希釈液、および水（水道水）の効果を比較した。
大きさが約２０ｃｍ×２０ｃｍのフィルム（ＰＶＡ）内に土壌として、バーミキュライト、またはロックファイバーを約３００ｍｌ配置した。この土壌内に、植物の苗として、サニーレタス（本葉１枚強）を２本配置した。土壌および溶液毎に６種類の系を作製し、それぞれの溶液に浸漬した。この際、溶液は各３００ｍｌ使用し、フィルム（ＰＶＡ）内の土壌が約２ｃｍの深さで浸かるように配置した。実験はハウス内で行い、日照は自然のままのものとした。実験の際の気温は、約０〜２５℃、湿度は５０〜９０％ＲＨ程度であった。
水分蒸発量および溶液のＥＣ値を、栽培開始後１３日後、および３５日後に測定した。３５日後には、前述した「引き剥がし試験」も行った。
上記実験条件を纏めると、以下の通りである。
１．実験
１）フィルム：ＰＶＡ４０μｍ（アイセロ化学）
２００×２００ｍｍ
２）苗：サニーレタス  本葉１枚強
３）土壌：バーミキュライト（細粒）、ロックファイバー６６Ｒ
４）溶液：  水、ハイポネックス原液  １００倍希釈水溶液、１０００倍希釈水溶液
５）器具：ざるとボールのセット
６）置き場所：ハウス（温度湿度制御無し）
７）実験方法：  ざるにフィルム（２００×２００ｍｍ）を介しバーミキュライト１５０ｇ（水分７３％、乾燥重量４０ｇ）、ロックファイバー２００ｇ（水分７９％、乾燥重量４０ｇ）を加え、苗を２本植え付ける。ボウルに水または養液を２４０〜３００ｇ加え、ざるを乗せた。
８）期間：２００２．１０．２９〜１２．４２．上記実験により得られた結果を、下記表１に示す。
0004625408.tif 000002
ＥＣ：液肥追加前／追加後
図１１〜１３は、本実施例で得られた栽培開始から３５日目の植物体の状態を示す写真である（いずれも土壌はバーミキュライトである）。図１１はフィルムを介した溶液としてハイポネックス１００倍希釈液を使用した場合、図１２はハイポネックス１０００倍希釈液を使用した場合、図１３は水（水道水）を使用した場合である。
また、図１４〜１６は、本実施例で得られた栽培開始から３５日目のフィルムの裏側（溶液側）から見た根の状態を示す写真である（いずれも土壌はバーミキュライトである）。図１４は、フィルムを介した溶液としてハイポネックス１００倍希釈液を使用した場合、図１５はハイポネックス１０００倍希釈液を使用した場合、図１６は水（水道水）を使用した場合である。
上記した表１および写真を見れば、本実施例において植物の良好な成長が得られていることが理解できよう。ハイポネックス１００倍希釈液を使用した場合の方が、該１０００倍希釈液を使用した場合よりも良好な成長が見られる。
（表１、図１１および１４）。また、これらのデータ（例えば、１００倍希釈−１０００倍希釈−水のデータの比較）により、植物がフィルムを介した肥料溶液中から成長に必要な肥料成分を得ていることも、容易に理解できよう。
【実施例２】  養液とした用いた液体肥料の濃度を、ハイポネックス１０００倍、２０００倍、３０００倍希釈とし、表２に示した項目とした以外は、実施例１と同様に実験を行った。
「ざる」にフィルムを介し土壌２００ｇ（水分７９％、乾燥重量４０ｇ）を加え、苗を２本植え付けた。ボウルに水または肥料溶液を２４０ｇ加え「ざる」を乗せた。
（実施期間：２００２．１０．３０〜１２．４）
上記実験により得られた結果は、以下の通りである。
0004625408.tif 000003
ＥＣ：液肥追加前／追加後（実験結果に対する記述）
液体肥料の希釈倍率によって、植物成長の程度は実施例１と同様に濃度の濃い方が成長しており、フィルムを介して肥料成分を吸収していることが理解できる。
【実施例３】（バーミキュライト／ＰＶＡ液体肥料効果）
バーミキュライト／ＰＶＡの系を用いて、水とハイポネックス１０００倍希釈液の効果を比較した。表３に示した以外は、実施例１と同様に実験を行った。
「ざる」にフィルムを介し土壌２３５ｇ（水分６３％）を加え、苗を２本植え付けた。ボウルに水または肥料溶液を約２５０ｍｌ加え「ざる」を乗せた（実施期間：２００２．１０．２２〜１１．２５）。
上記実験により得られた結果を纏めれば、以下の通りである。
0004625408.tif 000004
ＥＣ：液肥追加前／追加後
引き剥がし試験：ポストスケール使用（実験結果に対する記述）
肥料溶液のＥＣ値は、初期０．５ｄＳ／ｍに対し、最終３５日目には０．２２ｄＳ／ｍと低下し、明らかに肥料が消費されていた（水分蒸発を考慮すると、液体肥料の消費量は、さらに大きいと思われる）。
【実施例４】  土壌としてバーミキュライトを用い、フィルムを黒不織布付親水性ポリエステルとし、表４に示した項目とした以外は、実施例１と同様に実験を行った。
＜バーミキュライト／不織布付親水性ポリエステル液体肥料効果＞
実験は、「ざる」にフィルムを介し土壌２３０ｇ（水分７６％、乾燥重量５５ｇ）を加え、苗を２本植え付けた。ボウルに水、または肥料溶液を約２００ｇ加え「ざる」を乗せた。
上記実験により得られた結果は、以下の通りである。
0004625408.tif 000005
（実験結果に対する記述）
３０日目における根と茎葉の重量を、肥料溶液と水で比較すると、明らかに肥料溶液の方が大であり、肥料を吸収していることが理解できる。
【実施例５】  土壌としてロックファイバー（使用量：乾燥重量１０、２０、３０ｇ）を用い、表５に示した項目とした以外は、実施例１と同様に実験を行った。
＜ロックファイバー量の効果＞
「ざる」にフィルムを介し土壌５０〜１５０ｇ（水分８３％、乾燥重量１０、２０、３０ｇ）を加え、苗を２本植え付けた。ボウルに水、または肥料溶液を２９０〜３９０ｇ加え「ざる」を乗せた。（期間：２００２．１１．１〜１２．４）
上記実験により得られた結果は、以下の通りである。
0004625408.tif 000006
引き剥がし試験：ばね式秤を使用（実験結果に対する記述）
土壌量１０ｇの場合には１０日目で枯れ、根の成長が進む前に水分不足により枯れたと思われる。従って、適度な土壌量が極めて好ましいと考えられる。
【実施例６】（各種フィルムの差）
上記した方法で、各種フィルムに関して、水による苗の成長を観察した。フィルムとしては、ＰＶＡ、二軸延伸ＰＶＡ（ボブロン）、親水性ポリエステル３種の計５サンプルを用いた。
ざるにフィルム（２６０×２６０ｍｍ）を介し土壌５００ｍｌを加え、苗を２本植え付ける。ボウルに水２５０ｍｌを加え「ざる」を乗せた。期間は８月１７日〜９月１４日である。
0004625408.tif 000007
（実験結果に対する記述）
不織布付親水性ポリエステルの水分蒸発量が突出しているが、不織布からの蒸発が含まれているためと考えられる。
最終苗の本葉数は、不織布付親水性ポリエステル≧ＰＶＡ＞親水性ポリエステル≧ボブロン＞生地付親水性ポリエステルの順であった。これは、根の発育状況と同様の傾向であった。
【実施例７】（塩水透過試験）
前述の＜フィルムの塩／水透過試験＞方法に従って、各種フィルムの塩水透過試験を行った。フィルムはＰＶＡ、ボブロン（二軸延伸ＰＶＡ）、親水性ポリエステル、セロファン、ＰＨ−３５、超極細繊維不織布（シャレリア）の６種である。
上記実験により得られた結果は、以下の通りである。
0004625408.tif 000008
上記データをグラフ化したものを図１８に示す。
（実験結果に対する記述）
６種類のフィルムのうち、ＰＨ−３５は塩水の透過が認められなかった。その他のフィルムでは、超極細繊維不織布は水と共に塩が完全に透過しているが、ＰＶＡ、親水性ポリエステルおよびセロファンも比較的早く塩の透過が進んでいる。ボブロンは塩の透過速度が小さいものの、４日目には塩水系と水系とのＥＣ値の差が４．５以内になっている。
【実施例８】（ブドウ糖透過試験）
下記の＜グルコース（ブドウ糖）透過試験＞方法に従って、各種フィルムのブドウ糖透過試験を行った。フィルムはＰＶＡ、ボブロン（二軸延伸ＰＶＡ）、セロファン、浸透セロファン、ＰＨ−３５の５種である。
＜グルコース（ブドウ糖）透過試験＞
前述のざるボウルセットを使用し、ボウルに５％ブドウ糖水溶液（ブドウ糖５０ｇ／水１０００ｍｌ）１５０ｇを加え、ざるに２００×２００ｍｍのフィルムを敷き、水１５０ｇを加えて、ボウルに乗せた。それぞれの濃度と重量の経時変化を測定した。
＜濃度測定＞糖度計（屈折計）を用いてＢｒｉｘ％を測定した。Ｂｒｉｘ％はショ糖を水に溶解したときの重量％の単位で、例えば１００ｇ中に１０ｇのショ糖が溶けている液はＢｒｉｘ１０％となる。
上記実験により得られた結果は、以下の通りである。
0004625408.tif 000009
上記データをグラフ化したものを、図１９に示す。
（実験結果に対する記述）
５種類のフィルムのうち、ボブロン、ＰＨ−３５を除いた、ＰＶＡ、セロファンおよび浸透セロファンは実験開始から３日目程度で、ブドウ糖系と水系とのＢｒｉｘ値の差が１以内になり、ブドウ糖がフィルムを透過していることが判る。
【実施例９】（耐水圧試験）
ＪＩＳ  Ｌ１０９２（Ｂ法）に準じた試験により、２００ｃｍＨ２Ｏの耐水圧試験を行った。
実験結果
フィルム種                        耐水圧（ｃｍＨ２Ｏ）
ＰＶＡフィルム（４０μｍ）          ２００以上
二軸延伸ＰＶＡ（ボブロン）          ２００以上
セロファン                          ２００以上
親水性ポリエステル                  ２００以上
超極細繊維不織布                        ０
【実施例１０】（ＰＶＡと極細繊維不織布の比較）
以下の条件で植物を栽培し、得られたフィルム（ＰＶＡフィルムおよび不織布の、植物根に接触していたもの）から根を手で引き剥がした。
＜実験条件＞
器具：ざるボウルセット
フィルム：ＰＶＡ（２００×２００ｍｍ）、
超極細繊維不織布（アクリル系）シャレリア（旭化成社）（１６０×１７０ｍｍ）
土壌：バーミキュライト
苗：サニーレタス
溶液：ハイポネックス１０００倍希釈液
期間：２００２．９．２９〜１０．３１
引き剥がした後のフィルムの状態を、図２０〜２２の写真に示す。図２０は不織布の裏側である。不織布の裏側に、根が突き出ていることが観察される。図２１は、不織布の表（土壌）側であり、土壌を除いても根が残っている。このように、根がフィルムないし布の裏側に突き出た場合には、貫根という状態となり、本発明の栽培には適しない。
これに対し、図２２はＰＶＡフィルムの裏側を示す。ＰＶＡフィルムは透明であるために、該フィルムの裏・表ともに、根が残っていないことが観察される。
【実施例１１】（ｐＨの測定）
トロ箱（３０×２２×８ｃｍ）に３００倍希釈のハイポネックス溶液（ＥＣ：１．３７）を１．３Ｌ入れ、その上にＰＶＡフィルム（４８×４０ｃｍ）を敷いた。ＰＶＡフィルムに土壌（スーパーミックスＡ）を２ｃｍの深さを加え、サニーレタス（本葉３枚）の苗を１２本植え付けた。無加温のハウス内（１１月１２日〜１２月２５日）にて育て、溶液のＥＣ値とｐＨを定期的に測定した。この間、上からの給水も溶液の補充も全く行っていない。
上記実験により得られた結果は、以下の通りである。
0004625408.tif 000010
図２３、２４に生育状況の写真を示す。図２３は苗の植付け時の写真で、図２４は４３日目の写真である。
（実験結果に対する記述）
ｐＨについて、０日目７．２に対し、４３日目は４．２と低下している。一般に、レタスは窒素肥料のアンモニア態窒素を優先的に吸収するため、アンモニア態窒素が消費されるまで、ｐＨが低下すると言われており、本実験結果からもアンモニア態窒素が消費されていると考えられる。ＥＣ値も経時的に低下しており、肥料の吸収を裏付けており、図２３および２４の比較からも苗の成長が理解できる。
【実施例１２】  実施例７と同様にしてざるボールセット（ざるの半径６．４ｃｍ、容量１３０ｃｍ３）を用い、ざるに２０×２０ｃｍのフィルムを乗せ純水を１５０ｇ加え、ボール側に養液１５０ｇを加えて、サランラップで包んだ。サンプリング時間３、６、１２、２４、３６、４８、７２ｈｒｓで計７個の容器を用意し、所定時間経過後１００ｍｌずつサンプル容器に採取した。各サンプル中の、主要肥料成分の分析を行った。
１）透湿フィルム：ＰＶＡフィルム２５μｍ（日本合成化学工業（株）製）、親水性ポリエステル２０μｍ（デュポン社製）
２）水：蒸留水（和光純薬工業（株）製）、養液肥料：大塚ハウス１号  １．５ｇ／Ｌ、２号  １ｇ／Ｌ（大塚化学（株）製）
３）分析方法
ａ）アンモニウムイオン、硝酸イオンおよび硫酸イオン：イオンクロマトグラフ法により分析（分析の詳細に関しては：「水の分析」第４版  日本分析化学会北海道支部編  発行（株）化学同人  １９９７年７月２０日  第３章水の分析に用いられる分析法  ３．７．３  イオンクロマトグラフィー（Ｐ１２５〜１２９）を参照することができる）。
ｂ）りん、カリウム、カルシウムおよびマグネシウム：ＩＣＰ（発光分光分析）法により分析（分析の詳細に関しては：「水の分析」第４版  日本分析化学会北海道支部編  発行（株）化学同人  １９９７年７月２０日  第１３章微量汚染物質と関連する分析法  １３．１０  ＩＣＰ（Ｐ４７８〜４８０）を参照することができる）。
主要成分のアンモニア性窒素（ＮＨ４−Ｎ）、硝酸性窒素（ＮＯ３−Ｎ）、りん酸（Ｐ２Ｏ５）、カリウム（Ｋ２Ｏ）、カルシウム（ＣａＯ）、マグネシウム（ＭｇＯ）および硫黄（ＳＯ４）について、フィルム透過性の経時変化を表１０〜表１６に、またこれらのデータに対応するグラフを図２５〜図３１に示す。
上記した表およびグラフに示すように、肥料のフィルム透過性に関して、肥料成分によって透過速度の違いはあるものの、主要成分の窒素（Ｎ）、リン（Ｐ）、カリウム（Ｋ）、カルシウム（Ｃａ）、マグネシウム（Ｍｇ）および硫黄（Ｓ）はすべて透過する。
0004625408.tif 000011
0004625408.tif 000012
0004625408.tif 000013
0004625408.tif 000014
0004625408.tif 000015
0004625408.tif 000016
0004625408.tif 000017
【実施例１３】  実施例１１と同様にして発泡スチロール製トロ箱に養液を入れ、表面をフィルムで覆い、その上にバーミキュライトを０．２〜０．３ｇ／ｃｍ２加えた。バーミキュライトに約７０％の水分を含ませ、土壌表面を覆うマルチフィルムとしてアルミホイルを使用し、ルッコラの幼苗を植えつけた。試験期間経過後、生育状況の観察と植物体の重量を測定した。
［試験条件と結果］
0004625408.tif 000018
フィルム：ＰＨ−３５（約４０μｍ）（株）トクヤマ製）微孔ポリプロピレンフィルム、ＰＶＡ４０μｍ（アイセロ化学（株）製）
土壌：バーミキュライト（昭和バーミキュライト（株）製）
マルチフィルム：アルミホイル（アルファミック（株）製）
養液：マツザキ１号６ｇ／８Ｌ、マツザキ２号４ｇ／８Ｌ（（株）マツザキアグリビジネス製）
試験期間：２００３年５月９日〜６月４日  生育後の植物体重量を表１７に、生育状況を図３２〜図３３に示す。微孔ポリプロピレンにおいては明らかに生育が劣り、養液側から水分は透過しているが、肥料成分が透過していなかった。
【実施例１４】  実施例１１と同様に、３０×２２×８ｃｍのトロ箱に養液としてハイポネックス原液（Ｎ：５％、Ｐ：１０％、Ｋ：５％）（（株）ハイポネックスジャパン製）３００倍希釈水溶液（ＥＣ：１．３７）１．３Ｌを加え、４０μｍＰＶＡフィルム（アイセロ化学（株）製）４８×４０ｃｍを上に浮かべた。
フィルム上に土壌としてスーパーミックスＡ（（株）サカタの種）を深さ２ｃｍ乗せ、サニーレタス幼苗（本葉３枚）を１２本植えつけた。ビニルハウス（温度湿度制御無し）に２００２．１１．１２〜２００３．１．１１（６０日間）の間生長させた。その後、根と一体化したＰＶＡフィルムを試料とし、根の界面の光学顕微鏡写真（倍率：１０〜１００倍）を撮影した。
［試料の前処理と観察］
１）試料をエタノールで脱水
２）親水性の樹脂「テクノビット」（応研商事（株）社製）に包埋
３）ガラスナイフで厚さ３ミクロンに薄切りしてガラス板の上に載せ乾燥させる
４）０．１％のトルイジン青にて１５分間染色
５）水洗下の血に７０％エタノール溶液で過剰な染色部分を脱色させる（分別）
６）アルコールで脱水した後にキシレンに入れて、その後にカバーガラスをかけて封入
７）観察は光学顕微鏡にて、１０倍から１００倍の間で観察
（なお、上記した試料の前処理および観察方法の詳細に関しては、例えば、応研商事株式会社のホームページ（ｈｔｔｐ／／ｗｗｗ．ｏｋｅｎｓｈｏｊｉ．ｃｏ．ｊｐ／）の「低温重合樹脂テクノビット」の項で詳細な試験方法を参照することができる。）
光学顕微鏡による観察結果を、図３４に示す。この図３４に示すように、根の細胞がＰＶＡフィルム面に隙間無く配置され、ＰＶＡフィルムと根が一体化している様子が観察された。
【実施例１５】ミニトマトの栽培（糖度測定結果）
実施例１１と同様に、発泡スチロール製のトロ箱（内容積１１Ｌ）に養液２．２Ｌを加え、４０μｍのＰＶＡフィルムで表面を覆った。その上にバーミキュライトを０．６ｇ／ｃｍ２敷き、バーミキュライトに水道水を加えることにより水分を７５％（水／バーミキュライト＝７５／２５の比）に調整し栽培ベッドとした。ミニトマトの苗を寝かせ植えし、ビニルハウス中で育てた。
試験条件と結果  フィルム：ＰＶＡ４０μｍ（アイセロ化学（株）製）
用土：バーミキュライト（ニッタイ（株）製）
養液：ハイポネックス（（株）ハイポネックスジャパン製）５００倍希釈（ＥＣ：１．２８）
５／２０（栽培開始後３４日）に２Ｌ、６／１６（栽培開始後６１日）に２Ｌを追加
苗：ミニトマト  栽培期間：２００３年４月１６日〜６月２９日
0004625408.tif 000019
（糖度測定：手持ち屈折計ＡＴＣ−１（（株）アタゴ製））
［比較市販品］  ７／９（測定日）
ピッコロトマト（愛知あつみ）
１５４ｇ／１３個    糖度  ４．６
上記したように、通常（市販品）のミニトマトが糖度５程度に対し、本実施例では糖度７．０〜８．４レベルが可能であることを確認した。
【実施例１６】１．サニーレタス  Ｂｒｉｘ％測定結果
発泡スチロール製のトロ箱（内容積５．３Ｌ）に養液２Ｌを加え、４０μｍのＰＶＡフィルムで表面を覆った。その上に土壌を深さ約２ｃｍ加え水分を約７５％に調整し栽培ベッドとした。アルミホイルで土壌表面を被覆し、サニーレタスの幼苗２本植えビニルハウス中で育てた。
［試験条件と結果］
フィルム：ＰＶＡ４０μｍ（アイセロ化学（株）製）
土壌：１）バーミキュライト（昭和バーミキュライト（株）製）０．３ｇ／ｃｍ２
２）スーパーミックスＡ（（株）サカタの種製）０．９ｇ／ｃｍ２
３）さつま軽石（エスペックミック（株））０．９ｇ／ｃｍ２
苗：サニーレタス（４／１０播種）本葉２枚強
マルチ：アルミホイル（アルファミック（株）製）
養液：マツザキ１号６ｇ／８Ｌ、マツザキ２号４ｇ／８Ｌ（（株）マツザキアグリビジネス製）
ＥＣ：１．７
0004625408.tif 000020
比較  市販サニーレタス（長野産水耕栽培）
Ｂｒｉｘ％  ０．５（Ｂｒｉｘ％測定：手持ち屈折計ＡＴＣ−１Ｅ（（株）アタゴ製）
表１８に示すようにいずれの土壌においても、比較の市販品に比べ、高Ｂｒｉｘ値を示した。
２．ルッコラ  Ｂｒｉｘ％測定結果
発泡スチロール製の容器（内容積：巾６０ｃｍ×深さ１５ｃｍ×長さ約３ｍ）を厚さ０．１５ｍｍの水耕シートで包み、栽培用プールとした。プールに養液を加え、フィルムを敷き、その上に土壌を厚さ約２ｃｍ置いて、栽培用ベッドとした。土壌の水分を約７０％とし、幼苗を植え付け、水分蒸発抑制用マルチフィルムの有無による植物の生育状況を観察した。
［試験条件と結果］
フィルム：ＰＶＡ４０μｍ（アイセロ化学（株）製）
土壌：バーミキュライト（昭和バーミキュライト（株）製）
マルチフィルム：アルミホイル（アルファミック（株）製）の有無
養液：マツザキ１号６ｇ／８Ｌ、マツザキ２号４ｇ／８Ｌ（（株）マツザキアグリビジネス製）
ＥＣ：１．３  ４５Ｌ  試験期間：２００３年５月１９日〜６月１４日
0004625408.tif 000021
比較（市販養液栽培）
Ｂｒｉｘ％  ２．６
（Ｂｒｉｘ％測定：手持ち屈折計ＡＴＣ−１Ｅ（（株）アタゴ）
土壌表面からの水分蒸発を制御することで植物の生育状況ならびに植物葉茎の  Ｂｒｉｘ値（栄養価値の目安）を制御できることがわかる。
Ｂｒｉｘ％はマルチ有りの３．８から無しの５．２へと増大した。
表１９に示すように比較例の市販養液栽培品に比較し、いずれも実施例の方がＢｒｉｘ％が高く、特に水分抑制が大のマルチフィルム無しの数値が高い。
３．ホウレンソウ  Ｂｒｉｘ測定結果
実施例１７で栽培した冬期加温、無加温ホウレンソウのＢｒｉｘ％を測定した。
（Ｂｒｉｘ％測定：手持ち屈折計ＡＴＣ−１Ｅ（（株）アタゴ）
条件                Ｂｒｉｘ（％）
無加温（冬）          ６．２
加温（１９℃）          ４
比較（市販養液栽培）  ２．２
無加温、加温とも市販水耕栽培ホウレンソウに比較して、高Ｂｒｉｘ％であった。特に、無加温の場合は水分抑制が強いため、より高いＢｒｉｘ％を示す。
【実施例１７】１．冬期保温による効果
発泡スチロール製のトロ箱（内容積：約２６Ｌ）に１８×２８×７．５ｃｍのざるをセットした。ざるにフィルムを張り、土壌を厚さ約２ｃｍ敷いて、栽培用ベッドとした。トロ箱に養液を２０Ｌ加え、水槽用ヒーターで１９℃に加温した。土壌に幼苗を植え付け、加温の有無による植物の生育状況を観察した。
試験条件と結果
0004625408.tif 000022
フィルム：ＰＶＡ４０μｍ（アイセロ化学製）
土壌：スーパーミックスＡ（水分７０％）（（株）サカタの種）
苗：ホウレンソウ（ディンプル  （株）サカタの種）
養液：ハイポネックス原液Ｎｅｗタイプ（（株）ハイポネックスジャパン製）
希釈水溶液  ＥＣ：２．８
水槽用ヒーター：１５０Ｗ（コトブキ工芸（株）製）
試験期間：２００２年１２月２８日〜２００３年２月１６日（横浜市）
２．夏期冷却による効果
発泡スチロール製のトロ箱（内容積：約１５Ｌ）に、フィルムを張り、水分約７０％の土壌を深さ約２ｃｍ置いて、栽培用ベッドとした。トロ箱に養液を４〜６．５Ｌ加え、冷却装置で２０℃に循環冷却した。土壌に幼苗を植え付け、冷却の有無による植物の生育状況を観察した。
試験条件と結果
0004625408.tif 000023
フィルム：ＰＶＡ４０μｍ（アイセロ化学製）
マルチ：シルバーマルチ３０μｍ（東罐興産（株）製）
土壌：バーミキュライト（昭和バーミキュライト（株）製）
苗：ホウレンソウ（おかめ  タキイ種苗（株））
養液：マツザキ１号６ｇ／８Ｌ、マツザキ２号４ｇ／８Ｌ（（株）マツザキアグリビジネス製）
ＥＣ：２．７
冷却装置：Ｒｅｉ  Ｓｅａ  ＬＸ−５０２ＣＸ型（（株）レイシー製）
試験期間：２００３年６月２３日〜２００３年８月５日
３．結果のまとめ
表２０、２１に結果を、図３５〜３８に植付け時と栽培終了時の生育状況を写真で示す。植物体１本の平均重量が冬期の場合、無加温の２ｇ以下が加温の７ｇ、夏季の場合、無冷却の６．７ｇが冷却の８．５ｇといずれも増えている。
ホウレンソウの生育適温は１５〜２０℃とされるが、環境全体を厳寒期に加温、盛夏期に冷却することなく、根圏のみを適温範囲に加温あるいは冷却することで、良好な生育状況を示すことが確認できた。
【実施例１８】  実施例１６の２と同様に、発泡スチロール製の容器（内容積：巾６０ｃｍ×深さ１５ｃｍ×長さ約３ｍ）を厚さ２ｍｍの給水シートで包み、栽培用プールとした。プールに養液を加え、表面をフィルムで覆い、その上に土壌を厚さ約２ｃｍ敷き、栽培用ベッドとした。
土壌に水分を加え幼苗を植え付け、水分蒸発抑制用マルチフィルムとしてアルミホイルの有無による植物の生育状況を観察した。
［試験条件と結果］
フィルム：ＰＶＡ４０μｍ（アイセロ化学（株）製）
土壌：バーミキュライト（昭和バーミキュライト（株）製）
マルチフィルム：アルミホイル（アルファミック（株）製）の有無
養液：マツザキ１号６ｇ／８Ｌ、マツザキ２号４ｇ／８Ｌ（（株）マツザキアグリビジネス製）
ＥＣ：１．３  ４５Ｌ  試験期間：２００３年５月１９日〜６月１４日
0004625408.tif 000024
0004625408.tif 000025
表２２および表２３に示すように、ルッコラ／バーミキュライトの系では、植物体の重量はマルチ無しの６．３ｇがマルチ有りの１６．３ｇと増えた。一方、サニーレタス／軽石の系でも、植物体の重量はマルチ無しの７ｇがマルチ有りの１３．７ｇへと増大した。図３９、４０には、ルッコラとサニーレタスのマルチフィルム有無による生育状況を示す。
土壌の種類、植物の種類を変えた上記試験より、土壌表面からの水分蒸発を制御することで植物の生育を制御できることが判明した。
【実施例１９】  実施例１６の２と同様に、発泡スチロール製の容器（内容積：巾６０ｃｍ×深さ１５ｃｍ×長さ約３ｍ）を厚さ２ｍｍの給水シートで包み、栽培用プールとした。プールに養液を加え、表面をフィルムで覆い、その上に土壌を厚さ約２ｃｍ敷き、栽培用ベッドとした。
土壌に水分を加え幼苗を植え付け、マルチフィルムとしてシルバーマルチフィルムを使用し、生育し、養液の消費量を測定した。
養液溜め面積：６０ｃｍ×３１０ｃｍ
養液：マツザキ１号６ｇ／８Ｌ、２号４ｇ／８Ｌ（（株）マツザキアグリビジネス製）
ＥＣ：２．７  ５２Ｌ
フィルム：ＰＶＡ厚み４０μｍ、巾１ｍ、長さ４ｍ（アイセロ化学製）
土壌：バーミキュライト（昭和バーミキュライト（株）製）深さ約２ｃｍ
マルチフィルム：シルバーマルチ厚み３０μｍ、巾９５ｃｍ、長さ３．１ｍ
（東罐興産（株）製）
苗：ルッコラ１４本、サニーレタス１４本
試験期間：２００３年６月１５日〜７月９日
［結果］
0004625408.tif 000026
【実施例２０】  本発明によるシステム（実施例１５あるいは１７の２の方法）で植物を生育した後の養液の汚れ具合を観察した。図４１〜図４３に、ミニトマト、ルッコラ／サニーレタスおよびホウレンソウを栽培したときの養液の状態を写真で示すが、いずれも非常に清澄な状態にある。
１．ミニトマト
発泡スチロール製のトロ箱（内容積１１Ｌ）に養液２．２Ｌを加え、４０μｍのＰＶＡフィルムで表面を覆った。その上にバーミキュライトを０．６ｇ／ｃｍ２  敷き水分を約７０％に調整し栽培ベッドとした。ミニトマトの苗を植え、ビニルハウス中で育てた。
［試験条件］
フィルム：ＰＶＡ４０μｍ（アイセロ化学）
用土：バーミキュライト（ニッタイ（株）製）  ０．６ｇ／ｃｍ２
養液：ハイポネックス原液（（株）ハイポネックスジャパン）の５００倍希釈液（ＥＣ：１．２８）  ５／２０に２Ｌ追加
苗：ミニトマト
栽培期間：２００３年４月１６日〜６月２９日
図４１に、栽培開始後３９日目の養液の写真を示す。
２．サニーレタス、ルッコラの栽培
発泡スチロール製のトロ箱（内容積１５Ｌ）に養液４Ｌを加え、４０μｍのＰＶＡフィルムで表面を覆った。その上にバーミキュライトを０．３ｇ／ｃｍ２  敷き水分を約７０％に調整し栽培ベッドとした。ルッコラ、サニーレタスの幼苗を植え、ビニルハウス中で育てた。
［試験条件］
フィルム：ＰＶＡ４０μｍ（日本合成化学工業（株）製）
用土：バーミキュライト（昭和バーミキュライト（株）製）
養液：マツザキ１号、２号（（株）マツザキアグリビジネス製）
ＥＣ：２．７
苗：サニーレタス、ルッコラ各３本
栽培期間：２００３年６月２７日〜７月１３日
図４２に、栽培開始後２０日目の養液の写真を示す。
３．ホウレンソウの栽培
発泡スチロール製のトロ箱（内容積１５Ｌ）に養液４Ｌを加え、４０μｍのＰＶＡフィルムで表面を覆った。その上にバーミキュライトを０．３ｇ／ｃｍ２  敷き水分を約７０％に調整し栽培ベッドとした。マルチフィルムを敷きホウレンソウの幼苗を植え、ビニルハウス中で育てた。
［試験条件］
フィルム：ＰＶＡ４０μｍ（日本合成化学工業（株）製）
土壌：バーミキュライト（昭和バーミキュライト（株）製）
マルチ：シルバーマルチ３０μｍ（東罐興産（株）製）
養液：マツザキ１号、２号（（株）マツザキアグリビジネス製）
ＥＣ：２．７
苗：ホウレンソウ「おかめ」（タキイ種苗（株））７本
栽培期間：２００３年６月２３日〜８月５日
図４３に、栽培開始後４３日目の養液の写真を示す。
【実施例２１】  実施例７と同様に、ざるボールセット（ざるの半径６．４ｃｍ、容量１３０ｃｍ３）を用い、ざるに２０×２０ｃｍのフィルムを乗せ水道水を１５０ｇ加え、ボール側に塩水１５０ｇを加えて、サランラップで包み室温に置いた。サンプリング時間毎に、水側（ざる）および塩水側（ボール）の養液を良く撹拌した後、スポイトでサンプリングし、ＥＣ値を測定した。
１）透湿フィルム：厚みの異なる親水性ポリエステルフィルム（デュポン社製）およびＰＶＡフィルム（日本合成化学工業（株）製）を使用した。
親水性ポリエステルＫ０６−２０μｍ、Ｋ０６−４０μｍ、ＣＲＰ０６−７５μｍ（デュポン社製）、ＰＶＡ＃２５００（２５μｍ）、＃４０００（４０μｍ）、＃６５００（６５μｍ）（日本合成化学工業（株）製）
２）０．５％塩水：水道水に「伯方の塩」（伯方塩業（株）製）を０．５重量％溶解した。
伯方の塩：１００ｇ中ナトリウム３７．５ｇ、マグネシウム１１０ｍｇ、カルシウム９０ｍｇ、カリウム５０ｍｇ
３）実験方法
電気伝導度計：Ｔｗｉｎ  Ｃｏｎｄ  Ｂ−１７３（（株）堀場製作所）を用い、スポイトでサンプリングした溶液を電気伝導度計の測定部位に少量乗せ、電気伝導度ＥＣ（ｄｓ／ｍ）を測定した。
実施期間：２００３年８月２６日〜３１日
親水性ポリエステルフィルムの結果を表２４および図４４に、ＰＶＡフィルムの結果を表２５および図４５に示す。
上記の図４４および図４５から、親水性ポリエステルフィルムおよびＰＶＡフィルムとも水側のＥＣ値は増加し、塩水側のＥＣ値は減少し、両者の値が時間と共に同じ値に収束して行くことが判明した。親水性ポリエステルフィルムの場合、フィルム厚み２０〜７５μｍの範囲で、水側ＥＣ値の増加速度および塩水側ＥＣ値の低下速度は、厚みが増すに従って遅くなり、すなわち０．５％塩水透過性が大きく低下している。一方、ＰＶＡフィルムの場合は、フィルム厚み２５〜６５μｍの範囲で、厚みが増しても０．５％塩水透過性は殆ど変わらない。
0004625408.tif 000027
0004625408.tif 000028
【実施例２２】  発泡スチロール製トロ箱に養液を入れ、表面をフィルムで覆った。フィルム上に、下記のように前処理方法を変えた種子を蒔き、トロ箱をシルバーマルチフィルムで覆い、室内の窓辺に置いた。２日目にシルバーマルチフィルムを取り除き、サランラップ（旭化成（株）製）で覆い、光にあて、４日目に生育状況を観察した。
実験Ｎｏ．２においては、ＰＶＡフィルムの上に障子紙を重ね合わせ、その上に種子を蒔いた。表２６に試験条件を示す。
［試験条件と結果］
0004625408.tif 000029
フィルム：ＰＶＡ４０μｍ（日本合成化学工業（株）製）
障子紙：無地  パルプ（８５％）、レーヨン（１０％）、バインダー（５％）
（（株）エルホーム製）
マルチフィルム：ポリシルバーマルチ３０μｍ（東罐興産（株）製）
養液：大塚ハウス１号、２号（大塚化学（株））養液ＥＣ：１．５
試験期間：２００３年９月６日〜９月１０日
種子の前処理条件：
１）無処理（種をそのまま蒔き霧吹きで軽く水分を与える）
２）水に３０分浸漬
３）園芸用活力剤メネデール（（株）メネデール化学研究所製）の１００倍希釈水溶液に３０分浸漬
４）微生物土壌改良資材ＥＭ１（（株）ＥＭ研究所製）の１０００希釈水溶液に３０分浸漬
上記により得られた植物体の生育４日後の写真を図４６および図４７に示す。これらの図に示すように、Ｎｏ．１（ＰＶＡフィルム単独で使用）、およびＮｏ．２（ＰＶＡフィルムに障子紙を重ねて使用）のいずれも、充分に発芽し、生育していることが判明した。
【実施例２３】  プラスチック製の箱（３０×２２×５ｃｍ）に、養液（ＥＣ：２．０ｄＳ／ｍ）２Ｌを加え、ＰＶＡフィルム（４０×３２ｃｍ）を敷き、マルチフィルムで覆った。
マルチフィルムに１０ｃｍ間隔で×印の切り込みを入れ、この穴よりサニーレタスの幼苗（（株）トーホク社製の種を種まき後３４日目、本葉３〜４枚）を６本植えつけて、その後の植物の生育状況を観察した。
［試験条件と結果］
フィルム：ＰＶＡ４０μｍ（日本合成化学（株）製）
マルチフィルム：ポリシルバーマルチ（東罐興産（株）製）
養液：大塚ハウス１号１．５ｇ／Ｌ、２号１ｇ／Ｌ（大塚化学（株）製）
ＥＣ：２．０  ２Ｌ
試験期間：２００３年１２月８日〜１２月３０日
図４９Ａおよび４９Ｂの写真に示すように、土壌あるいは類似の物質が存在しない場合においても、苗が成長していることが観察される。
【実施例２４】  発泡スチロール製のトロ箱（３２×２４×１３ｃｍ）に、養液（ＥＣ：２．７ｄＳ／ｍ）６Ｌを加え、ＰＶＡフィルム（６０×５０ｃｍ）を敷いた。その上に通常育苗用に使われるセルトレー（セルの口径３ｃｍ×深さ４．５ｃｍ、タキイ種苗（株）製）を逆さまに置き、マルチフィルムで覆った。
マルチフィルムに１５ｃｍ間隔で×印の切り込みを入れ、この穴より上面に向いたセルトレーの底面の孔を通してサニーレタスの幼苗（タキイ種苗（株）製の種を種まき後２９日目）を植えつけた。その後の植物の生育状況を観察した。
［試験条件と結果］
フィルム：ＰＶＡ４０μｍ（日本合成化学（株）製）
マルチフィルム：ポリシルバーマルチ（東罐興産（株）製）
養液：大塚ハウス１号１．５ｇ／Ｌ、２号１ｇ／Ｌ（大塚化学（株）製）
ＥＣ：２．６  ２．５Ｌ
試験期間：２００３年９月７日〜１１月１５日
図５０Ａおよび５０Ｂに示すように、苗を支えるセルトレーは存在するが、ＰＶＡフィルムの上が空間であっても苗が成長していることが観察される。図５１にトレーの裏側を観察した写真を示すが、ルッコラの根がトレーとＰＶＡフィルムの界面で良く発達していることが観察できる。
【実施例２５】  発泡スチロール製のトロ箱（３０×２２×８ｃｍ）に養液（ＥＣ：２．６ｄＳ／ｍ）２．５Ｌを加え、ＰＶＡフィルムを敷いた。その上に軟質ウレタンフォーム（３０×２２ｃｍ×厚み１０ｍｍ）を乗せ、マルチフィルムで覆った。
マルチフィルムとウレタンフォームに１５ｃｍ間隔で×印の切り込みを入れ、この穴よりサニーレタスの幼苗（タキイ種苗（株）製の種を種まき後１７日目）を植えつけた。その後の植物の生育状況を観察した。
［試験条件と結果］
フィルム：ＰＶＡ４０μｍ（日本合成化学（株）製）
軟質ウレタンフォーム：（（株）シンワ製）
マルチフィルム：ポリシルバーマルチ（東罐興産（株）製）
養液：マツザキ１号６ｇ／８Ｌ、マツザキ２号４ｇ／８Ｌ（（株）マツザキアグリビジネス製）  ＥＣ：２．６  ２．５Ｌ
試験期間：２００３年７月１９日〜９月８日
図５２Ａおよび５２Ｂに示すように、一般的な天然土壌で無い合成の高分子などの構造物を支持体としても、生育することがわかる。図５３にウレタンフォームの裏側を観察した写真を示すが、サニーレタスの根がウレタンフォームとＰＶＡフィルムの界面で良く発達していることが観察できる。
【実施例２６】（含水率の測定）
ポリプロピレン製蓋つきプラスチック容器（１５×１１×４ｃｍ）に水３００ｍｌを加え、厚みの異なる３種類のＰＶＡフィルムと親水性ポリエステル１種（１０×２０ｃｍ）を浸漬し、適温ボックスに入れ２０時間保持した。所定時間経過後フィルムを取りだし、表面の水分をティッシュペーパーで速やかにふき取り秤量した（ＷＴｇ）。乾燥時の重量をＷ０ｇとし、含水率（％）＝（ＷＴ−Ｗ０）／ＷＴ×１００を求めた。
測定温度は５、２０、３５℃の３点で、各温度ｎ＝２の試料で測定した。
ＰＶＡフィルム：＃２５００（２５μｍ）、＃４０００（４０μｍ）、＃６５００（６５μｍ）（日本合成化学（株）製）
親水性ポリエステル：Ｋ０６−４０（４０μｍ）（デュポン社製）
適温ボックス：型式ＥＲＶ７４０（容量９Ｌ、消費電力７５Ｗ）（松下電工（株）製）
（結果）
図５４に含水率の温度別グラフを示す。このグラフに示すように、ＰＶＡは温度が上昇するにつれて、含水率が上昇する傾向を示す。親水性ポリエステルはＰＶＡとは逆に温度が上昇するにつれ含水率が低下する。ＰＶＡのフィルム厚みの差、あるいはポリマー種による含水率の差はそれほど大きく無く、温度変化も含め、２０〜２８％程度である。
【産業上の利用可能性】  上述したように本発明によれば、植物の根と実質的に一体化し得るフィルムを有する植物栽培用器具；植物体と、該植物体の根と実質的に一体化したフィルムとを有する植物−フィルム複合体；および該植物栽培用器具を用いた植物栽培方法が提供される。
上記構成を有する本発明の植物栽培用器具においては、植物の根と養液（肥料成分を含む液体）とが直接には接触せず、植物体に対する酸素供給と、肥料成分の供給とが好適に機能分離された状態にある。このため、本発明においては、植物が空気中の酸素を有効に利用することができ、従来の養液栽培の問題であった根に対する酸素の供給、養液の精密な管理、根からの養液の汚染あるいは養液から植物への病原菌汚染等の問題を容易に解消することができる。
更に、本発明の植物栽培用器具を用いることにより、栽培すべき植物を水分抑制状態とすることが極めて容易となり、該植物を高品質化することもできる。
加えて、本発明によれば、フィルムを介して接触する養液側の肥料成分ないし養分が有効に利用されるため、養液側の富栄養化を軽減しつつ、有用な植物を栽培することも可能である。例えば、湖沼等の天然の水資源に本発明の植物栽培用器具を接触させて（例えば、１個以上を浮かべて）、該湖沼等の富栄養化を軽減することが可能となる。
【図１】
0004625408.tif 000030
【図２】
0004625408.tif 000031
【図３】
0004625408.tif 000032
【図４】
0004625408.tif 000033
【図５】
0004625408.tif 000034
【図６】
0004625408.tif 000035
【図７】
0004625408.tif 000036
【図８】
0004625408.tif 000037
【図９】
0004625408.tif 000038
【図１０】
0004625408.tif 000039
【図１１】
0004625408.tif 000040
【図１２】
0004625408.tif 000041
【図１３】
0004625408.tif 000042
【図１４】
0004625408.tif 000043
【図１５】
0004625408.tif 000044
【図１６】
0004625408.tif 000045
【図１７】
0004625408.tif 000046
【図１８】
0004625408.tif 000047
【図１９】
0004625408.tif 000048
【図２０】
0004625408.tif 000049
【図２１】
0004625408.tif 000050
【図２２】
0004625408.tif 000051
【図２３】
0004625408.tif 000052
【図２４】
0004625408.tif 000053
【図２５】
0004625408.tif 000054
【図２６】
0004625408.tif 000055
【図２７】
0004625408.tif 000056
【図２８】
0004625408.tif 000057
【図２９】
0004625408.tif 000058
【図３０】
0004625408.tif 000059
【図３１】
0004625408.tif 000060
【図３２】
0004625408.tif 000061
【図３３】
0004625408.tif 000062
【図３４】
0004625408.tif 000063
【図３５】
0004625408.tif 000064
【図３６】
0004625408.tif 000065
【図３７】
0004625408.tif 000066
【図３８】
0004625408.tif 000067
【図３９】
0004625408.tif 000068
【図４０】
0004625408.tif 000069
【図４１】
0004625408.tif 000070
【図４２】
0004625408.tif 000071
【図４３】
0004625408.tif 000072
【図４４】
0004625408.tif 000073
【図４５】
0004625408.tif 000074
【図４６】
0004625408.tif 000075
【図４７】
0004625408.tif 000076
【図４８】
0004625408.tif 000077
【図４９】
0004625408.tif 000078
【図５０】
0004625408.tif 000079
【図５１】
0004625408.tif 000080
【図５２】
0004625408.tif 000081
【図５３】
0004625408.tif 000082
【図５４】
0004625408.tif 000083